(57)【特許請求の範囲】
【請求項１】
セッション管理方法であって、
電子デバイスによって、パケット・データ・ユニット（ＰＤＵ）セッションを確立するよう要求するために使用されるＰＤＵセッション確立要求メッセージを含む非アクセス層（ＮＡＳ）メッセージを、固定ネットワークにおいてアクセス・ネットワーク側に配置されたアクセスゲートウェイ機能（ＡＧＦ）デバイスへ送信することと、
前記電子デバイスによって、ネットワーク側デバイスからＰＤＵセッション確立成功メッセージを受信することと、
前記電子デバイスによって前記ＡＧＦデバイスとともに第１ポイント・ツー・ポイント・プロトコル・オーバー・イーサネット（ＰＰＰｏＥ）セッションを確立することと、
前記第１ＰＰＰｏＥセッションにおいて前記ＰＤＵセッションのデータパケットをカプセル化し、該データパケットを前記ＡＧＦデバイスへ送信することと
を有する方法。
【請求項２】
前記ＮＡＳメッセージは、ＮＡＳメッセージ識別子によってカプセル化され、該ＮＡＳメッセージ識別子は、前記ＮＡＳメッセージを識別するために使用される、
請求項１に記載の方法。
【請求項３】
前記電子デバイスによって前記ＮＡＳメッセージを前記ＡＧＦデバイスへ送信することより前に、当該方法は、前記電子デバイスと前記ＡＧＦデバイスとの間に第２ＰＰＰｏＥセッションを確立することを更に有し、
前記電子デバイスによって前記ＮＡＳメッセージを前記ＡＧＦデバイスへ送信することは、ＰＰＰｏＥ発見プロセス、ネットワーク制御プロトコルプロセス、及びリンク制御プロトコル（ＬＣＰ）プロセスのうちのいずれか１つにおけるメッセージを使用することによって、前記ＮＡＳメッセージを前記ＡＧＦデバイスへ送信することを有する、
請求項１又は２に記載の方法。
【請求項４】
前記ＰＤＵセッション確立成功メッセージは、セッション識別子を含むか、あるいは、前記ＰＤＵセッション確立成功メッセージは、前記セッション識別子によってカプセル化され、前記セッション識別子は、ＰＰＰｏＥセッション識別子を有する、
請求項１乃至３のうちいずれか一項に記載の方法。
【請求項５】
当該方法は、
前記電子デバイスによって、前記ＰＤＵセッションに対応するＰＰＰｏＥセッション識別子を決定し、該ＰＰＰｏＥセッション識別子によって前記ＰＤＵセッションの前記データパケットをカプセル化し、前記ＰＰＰｏＥセッション識別子を前記ＡＧＦデバイスへ送信することを更に有する、
請求項１乃至３のうちいずれか一項に記載の方法。
【請求項６】
セッション管理方法であって、
固定ネットワークにおいてアクセス・ネットワーク側に配置されたアクセスゲートウェイ機能（ＡＧＦ）デバイスによって、パケット・データ・ユニット（ＰＤＵ）セッションを確立するよう要求するために使用されるＰＤＵセッション確立要求メッセージを含む非アクセス層（ＮＡＳ）メッセージをユーザ装置から受信することと、
前記ＡＧＦデバイスによって前記ＮＡＳメッセージをモビリティ管理機能デバイスへ送信し、そして、ＰＤＵセッション確立成功メッセージを受信した後に、前記ＡＧＦデバイスによって、前記ＰＤＵセッション確立成功メッセージを前記ユーザ装置へ送信することと、
前記ＡＧＦデバイスによって前記ユーザ装置とともに第１ポイント・ツー・ポイント・プロトコル・オーバー・イーサネット（ＰＰＰｏＥ）セッションを確立することであり、前記第１ＰＰＰｏＥセッションは、前記ＰＤＵセッションに関連したアクセスセッションである、前記確立することと、
前記ユーザ装置から前記ＰＤＵセッションのデータパケットを受信することであり、該データパケットが前記第１ＰＰＰｏＥセッションにおいてカプセル化されている、前記データパケットを受信することと
を有する方法。
【請求項７】
前記ＮＡＳメッセージは、ＮＡＳメッセージ識別子によってカプセル化され、該ＮＡＳメッセージ識別子は、前記ＮＡＳメッセージを識別するために使用される、
請求項６に記載の方法。
【請求項８】
前記アクセスゲートウェイ機能（ＡＧＦ）デバイスによって、前記ユーザ装置から前記ＮＡＳメッセージを受信することより前に、当該方法は、前記ユーザ装置と前記ＡＧＦデバイスとの間に第２ＰＰＰｏＥセッションを確立することを更に有し、
前記アクセスゲートウェイ機能（ＡＧＦ）デバイスによって、前記ユーザ装置から前記ＮＡＳメッセージを受信することは、ＰＰＰｏＥ発見プロセス、ネットワーク制御プロトコルプロセス、及びリンク制御プロトコル（ＬＣＰ）プロセスのうちのいずれか１つにおけるメッセージを使用することによって、前記ユーザ装置から前記ＮＡＳメッセージを受信することを有する、
請求項６又は７に記載の方法。
【請求項９】
当該方法は、
前記ＡＧＦデバイスによって、セッション管理機能（ＳＭＦ）デバイスから前記ＰＤＵセッション確立成功メッセージを受信し、前記ＡＧＦデバイスによって、該ＡＧＦデバイスによって割り当てられたセッション識別子によって前記ＰＤＵセッション確立成功メッセージをカプセル化し、前記セッション識別子を前記ユーザ装置へ送信すること
を更に有し、
前記セッション識別子は、ＰＰＰｏＥセッション識別子を有する、
請求項６乃至８のうちいずれか一項に記載の方法。
【請求項１０】
前記データパケットはセッション識別子を運び、
当該方法は、前記セッション識別子に対応するＰＤＵセッションへ前記データパケットを送信することを更に有する、
請求項６乃至９のうちいずれか一項に記載の方法。
【請求項１１】
前記アクセスセッションが前記ＰＤＵセッションにマッピングされた後に、当該方法は、前記データパケットがＰＰＰｏＥセッション識別子によってカプセル化される場合に、前記ＰＰＰｏＥセッション識別子に基づいて、前記データパケットに対応する前記ＰＤＵセッションを決定することを更に有する、
請求項１０に記載の方法。
【請求項１２】
固定ネットワークにおいてアクセス・ネットワーク側に配置されたアクセスゲートウェイ機能（ＡＧＦ）デバイスであって、
トランシーバ及びプロセッサを有し、
前記トランシーバは、パケット・データ・ユニット（ＰＤＵ）セッションを確立するよう要求するために使用されるＰＤＵセッション確立要求メッセージを含む非アクセス層（ＮＡＳ）メッセージをユーザ装置から受信し、前記ＮＡＳメッセージをモビリティ管理機能デバイスへ送信し、そして、ＰＤＵセッション確立成功メッセージを受信した後に、前記ＰＤＵセッション確立成功メッセージを前記ユーザ装置へ送信するよう構成され、
前記プロセッサは、前記ユーザ装置とともに第１ポイント・ツー・ポイント・プロトコル・オーバー・イーサネット（ＰＰＰｏＥ）セッションを確立するよう構成され、
前記第１ＰＰＰｏＥセッションは、前記ＰＤＵセッションに関連したアクセスセッションであり、
前記トランシーバは、前記ユーザ装置から前記ＰＤＵセッションのデータパケットを受信するよう更に構成され、前記データパケットが前記第１ＰＰＰｏＥセッションにおいてカプセル化されている、
アクセスゲートウェイ機能（ＡＧＦ）デバイス。
【請求項１３】
前記ＮＡＳメッセージは、ＮＡＳメッセージ識別子によってカプセル化され、該ＮＡＳメッセージ識別子は、前記ＮＡＳメッセージを識別するために使用される、
請求項１２に記載のＡＧＦデバイス。
【請求項１４】
前記トランシーバによって前記ユーザ装置から前記ＮＡＳメッセージを受信する前に、前記プロセッサは、前記ユーザ装置と当該ＡＧＦデバイスとの間に第２ＰＰＰｏＥセッションを確立するよう構成され、
前記トランシーバは、ＰＰＰｏＥ発見プロセス、ネットワーク制御プロトコルプロセス、及びリンク制御プロトコル（ＬＣＰ）プロセスのうちのいずれか１つにおけるメッセージを使用することによって、前記ユーザ装置から前記ＮＡＳメッセージを受信するよう構成される、
請求項１２又は１３に記載のＡＧＦデバイス。
【請求項１５】
前記トランシーバは、セッション管理機能（ＳＭＦ）デバイスから前記ＰＤＵセッション確立成功メッセージを受信するよう更に構成され、
前記プロセッサは、当該ＡＧＦデバイスによって割り当てられたセッション識別子によって前記ＰＤＵセッション確立成功メッセージをカプセル化するよう構成され、前記セッション識別子は、ＰＰＰｏＥセッション識別子を有し、
前記トランシーバは、前記セッション識別子を前記ユーザ装置へ送信するよう更に構成される、
請求項１２乃至１４のうちいずれか一項に記載のＡＧＦデバイス。
【請求項１６】
前記データパケットはセッション識別子を運び、前記トランシーバは、前記セッション識別子に対応するＰＤＵセッションへ前記データパケットを送信するよう更に構成される、
請求項１２乃至１５のうちいずれか一項に記載のＡＧＦデバイス。
【請求項１７】
前記プロセッサは、前記データパケットがＰＰＰｏＥセッション識別子によってカプセル化される場合に、前記ＰＰＰｏＥセッション識別子に基づいて、前記データパケットに対応する前記ＰＤＵセッションを決定するよう構成される、
請求項１６に記載のＡＧＦデバイス。
【請求項１８】
トランシーバ及びプロセッサを有し、
前記トランシーバは、パケット・データ・ユニット（ＰＤＵ）セッションを確立するよう要求するために使用されるＰＤＵセッション確立要求メッセージを含む非アクセス層（ＮＡＳ）メッセージを、固定ネットワークにおいてアクセス・ネットワーク側に配置されたアクセスゲートウェイ機能（ＡＧＦ）デバイスへ送信し、ネットワーク側デバイスからＰＤＵセッション確立成功メッセージを受信するよう構成され、
前記プロセッサは、前記ＡＧＦデバイスとともに第１ポイント・ツー・ポイント・プロトコル・オーバー・イーサネット（ＰＰＰｏＥ）セッションを確立するよう構成され、
前記プロセッサは、前記第１ＰＰＰｏＥセッションにおいて前記ＰＤＵセッションのデータパケットをカプセル化するよう更に構成され、前記トランシーバは、前記データパケットを前記ＡＧＦデバイスへ送信するよう更に構成される、
電子デバイス。
【請求項１９】
前記ＮＡＳメッセージは、ＮＡＳメッセージ識別子によってカプセル化され、該ＮＡＳメッセージ識別子は、前記ＮＡＳメッセージを識別するために使用される、
請求項１８に記載の電子デバイス。
【請求項２０】
前記トランシーバによって前記ＮＡＳメッセージを前記ＡＧＦデバイスへ送信する前に、前記プロセッサは、当該電子デバイスと前記ＡＧＦデバイスとの間に第２ＰＰＰｏＥセッションを確立するよう更に構成され、
前記トランシーバは、ＰＰＰｏＥ発見プロセス、ネットワーク制御プロトコルプロセス、及びリンク制御プロトコル（ＬＣＰ）プロセスのうちのいずれか１つにおけるメッセージを使用することによって、前記ＮＡＳメッセージを前記ＡＧＦデバイスへ送信するよう構成される、
請求項１８又は１９に記載の電子デバイス。
【請求項２１】
前記ＰＤＵセッション確立成功メッセージは、セッション識別子を含むか、あるいは、前記ＰＤＵセッション確立成功メッセージは、前記セッション識別子によってカプセル化され、前記セッション識別子は、ＰＰＰｏＥセッション識別子を有する、
請求項１８乃至２０のうちいずれか一項に記載の電子デバイス。
【請求項２２】
前記プロセッサは、前記ＰＤＵセッションに対応するＰＰＰｏＥセッション識別子を決定し、該ＰＰＰｏＥセッション識別子によって前記ＰＤＵセッションの前記データパケットをカプセル化するよう更に構成され、
前記トランシーバは、前記ＰＰＰｏＥセッション識別子を前記ＡＧＦデバイスへ送信するよう更に構成される、
請求項１８乃至２０のうちいずれか一項に記載の電子デバイス。
【請求項２３】
コンピュータで実行される場合に、該コンピュータに、請求項１乃至５のうちいずれか一項に記載のセッション管理方法を実行させるプログラム。
【請求項２４】
コンピュータで実行される場合に、該コンピュータに、請求項６乃至１１のうちいずれか一項に記載のセッション管理方法を実行させるプログラム。
【請求項２５】
アクセスゲートウェイ機能（ＡＧＦ）デバイス及びユーザ装置を有し、
前記ユーザ装置は、パケット・データ・ユニット（ＰＤＵ）セッションを確立するよう要求するために使用されるＰＤＵセッション確立要求メッセージを含む非アクセス層（ＮＡＳ）メッセージを、固定ネットワークにおいてアクセス・ネットワーク側に配置された前記ＡＧＦデバイスへ送信するよう構成され、
前記ＡＧＦデバイスは、前記ＮＡＳメッセージを受信するよう構成され、
前記ユーザ装置は、ネットワーク側デバイスからＰＤＵセッション確立成功メッセージを受信し、前記ＡＧＦデバイスとともに第１ポイント・ツー・ポイント・プロトコル・オーバー・イーサネット（ＰＰＰｏＥ）セッションを確立するよう更に構成され、
前記第１ＰＰＰｏＥセッションは、前記ＰＤＵセッションに関連したアクセスセッションであり、
前記ユーザ装置は、前記第１ＰＰＰｏＥセッションにおいて前記ＰＤＵセッションのデータパケットをカプセル化し、該データパケットを前記ＡＧＦデバイスへ送信するよう更に構成され、
前記ＡＧＦデバイスは、前記ユーザ装置から前記ＰＤＵセッションの前記データパケットを受信するよう更に構成される、
セッション管理システム。
【発明の詳細な説明】
【技術分野】
【０００１】
本発明は、通信技術の分野に、特に、セッション管理方法及び装置に関係がある。
【背景技術】
【０００２】
ユーザ装置（User  Equipment，ＵＥ）は、加入者宅内機器（Customer  Premises  Equipment，ＣＰＥ）とも呼ばれる。本願書類では、ユーザによって直接操作されるハードウェアエンティティに加えて、ユーザ装置は、ユーザ側のハードウェアエンティティ、例えば、レジデンシャル・ゲートウェイ（Residential  Gateway，ＲＧ）、固定ネットワーク・レジデンシャル・ゲートウェイ（Fixed  Network  Residential  Gateway，ＦＮＧＲ）、などを含む。
【０００３】
無線ブロードバンド技術の困難にうまく対処し、第３世代パートナーシップ・プロジェクト（Third  Generation  Partnership  Project，３ＧＰＰ）ネットワークの優れた利点を保つように、３ＧＰＰ標準化団体は、５Ｇネットワークアーキテクチャと呼ばれる次世代の移動体通信ネットワークアーキテクチャ（Next  Generation  System，ＮＧＳ）を策定している。５Ｇネットワークアーキテクチャは、３ＧＰＰ標準化団体で定義された無線技術を使用することによって５Ｇコア・ネットワーク（Core  Network，ＣＮ）へのアクセスをサポートするだけでなく、非３ＧＰＰ（non-3GPP）アクセス技術を使用することによって且つ非３ＧＰＰ網間接続機能（non-3GPP  Interworking  Function，Ｎ３ＩＷＦ）又は次世代アクセスゲートウェイ（next  generation  Packet  Data  Gateway，ｎｇＰＤＧ）を使用することによっても５Ｇコア・ネットワークへのアクセスをサポートする。３ＧＰＰ標準化団体で定義された無線技術には、ロング・ターム・エボリューション（Long  Term  Evolution，ＬＴＥ）、５Ｇラジオ・アクセス・ネットワーク（Radio  Access  Network，ＲＡＮ）、などがある。
【０００４】
５Ｇコア・ネットワークは、ユーザ・プレーン機能（User  Plane  Function，ＵＰＦ）デバイスと、制御プレーン機能（Control  Plane  Function，ＣＰＦ）デバイスとを含む。ユーザプレーンネットワーク要素は、パケットデータを転送すること、クオリティ・オブ・サービス（Quality  of  Service，ＱｏＳ）を制御すること、課金情報に関する統計データを収集すること、などに主に関与する。制御プレーンネットワーク要素は、ユーザ登録認証、モビリティ管理、ＵＰＦへのデータパケット転送ポリシーの配信、ＱｏＳ制御ポリシー、などに主に関与し、モビリティ管理機能（Core  Access  and  Mobility  Management  Function，ＡＭＦ）デバイスと、セッション管理機能（Session  Management  Function，ＳＭＦ）デバイスとを更に含み得る。具体的に、ＡＭＦは、ユーザ装置によるアクセス中の登録プロシージャと、ユーザ装置の移動プロセスにおける位置管理とに関与する。ＳＭＦは、ユーザ装置がサービスを開始するときにネットワーク側で対応するセッション接続を確立することと、ユーザ装置に特定のサービスを提供すること、特に、データパケット転送ポリシー、ＱｏＳポリシー、などを、ＳＭＦとＵＰＦとの間のインターフェイスＮＧ４に基づいてＵＰＦへ配信すること、とに関与する。
【０００５】
現在、ユーザ装置は、２つの形、すなわち、セッションを確立するために固定ネットワークを通じて固定ネットワークへのアクセスを開始すること、及びセッションを確立するためにモバイルネットワークを通じてモバイルネットワークへのアクセスを開始すること、でセッション確立を開始する。現在、５Ｇ  ＣＮは、ユーザ装置が固定ネットワークを使用することによって５Ｇ  ＣＮにアクセスする場合をサポートしない。
【発明の概要】
【０００６】
本発明の実施形態で解決されるべき技術的課題は、ユーザ装置が固定ネットワークを通じて５Ｇ  ＣＮにアクセスするようにセッション管理方法及び装置を提供することである。５Ｇ  ＣＮは、本願では５Ｇコンバージド・コア・ネットワークと呼ばれる。
【０００７】
第１の態様によれば、本発明の実施形態は、セッション管理方法であって、
ユーザ装置によって、パケット・データ・ユニット（Packet  Data  Unit，ＰＤＵ）セッションを確立するよう要求するために使用されるＰＤＵセッション確立要求メッセージを含む非アクセス層（Non  Access  Stratum，ＮＡＳ）メッセージをアクセスゲートウェイ機能（Access  Gateway  Function，ＡＧＦ）へ送信し、前記ユーザ装置によって、ネットワーク側デバイスによって返されたＰＤＵセッション確立成功メッセージを受信することと、
前記ユーザ装置によって前記ＡＧＦとともにアクセスセッションを確立することと
を有し、
前記アクセスセッションは、前記ＰＤＵセッションに関連したアクセスセッションである、
方法を提供する。
【０００８】
この実施形態で、ユーザ装置は、ＰＤＵセッションを確立するためにＮＡＳメッセージを送信し、ＡＧＦとともにアクセスセッションを確立する。アクセスセッションはＰＤＵセッションに関連するので、ユーザ装置は、ＰＤＵセッションをアクセスセッションにマッピングすることができ、それにより、ユーザ装置は、固定ネットワークを通じて５Ｇ  ＣＮにアクセスする。
【０００９】
任意の実施で、いくつかの特定の形のアクセスセッションが更に、次の通りに提供される。アクセスセッションは、
ポイント・ツー・ポイント・プロトコル・オーバー・イーサネット（Point-to-Point  Protocol  Over  Ethernet，ＰＰＰｏＥ）セッション、レイヤ２（Layer  2，Ｌ２）イーサネットセッション、レイヤ３（Layer  3，Ｌ３）インターネット・プロトコルセッション、又は汎用ルーティングカプセル化（Generic  Routing  Encapsulation，ＧＲＥ）トンネルを含む。
【００１０】
Ｌ２は、データリンクレイヤ（data  link  layer）であり、Ｌ３は、ネットワークレイヤ（network  layer）である。
【００１１】
任意の実施で、ＡＧＦがＮＡＳを識別する実施ソリューションが更に提供される。詳細は次の通りである。前記ＮＡＳメッセージは、ＮＡＳメッセージ識別子においてカプセル化され、該ＮＡＳメッセージ識別子は、前記ＮＡＳメッセージを識別するために使用される。
【００１２】
ＮＡＳメッセージ識別子は、ＡＧＦによって識別され得る如何なる情報であってもよい。ＮＡＳメッセージ識別子は、ＮＡＳメッセージとユーザプレーンデータとを区別するためにユーザ装置とＡＧＦとの間で同意される。
【００１３】
任意の実施で、ＮＡＳメッセージが送信される２つの任意の実施ソリューションが更に、次の通りに提供される。ユーザ装置によって非アクセス層（ＮＡＳ）メッセージをＡＧＦへ送信することより前に、当該方法は、前記ユーザ装置と前記ＡＧＦとの間にＰＰＰｏＥセッションを確立することを更に含み、ユーザ装置によって非アクセス層（ＮＡＳ）メッセージをＡＧＦへ送信することは、前記ユーザ装置によって前記ＰＰＰｏＥセッションにおいて前記ＮＡＳメッセージをカプセル化することを含み、前記ＰＰＰｏＥセッションの識別子は、前記ＮＡＳメッセージの識別子であり、あるいは、
ユーザ装置によって非アクセス層（ＮＡＳ）メッセージをＡＧＦへ送信することは、ＰＰＰｏＥ発見プロセス、ネットワーク制御プロトコル（Internet  Protocol  Control  Protocol，ＩＰＣＰ）プロセス、及びリンク制御プロトコル（Link  Control  Protocol，ＬＣＰ）プロセスのうちのいずれか１つにおけるメッセージを使用することによって、前記ＮＡＳメッセージを前記ＡＧＦへ送信することを含む。
【００１４】
上記の２つの任意の実施において、前者の実施では、ＰＰＰｏＥセッションが最初に、ＮＡＳメッセージを送信するために確立される。この場合に、ＰＰＰｏＥセッションは、ＮＡＳメッセージが送信されることをＡＧＦに通知するために使用され得る。従って、識別情報は、新たに加えられる必要がなくてよい。後者の実施では、ＮＡＳメッセージが送信されるいくつかの適用シナリオが提供される。
【００１５】
任意の実施では、ＰＤＵセッションが関連するアクセスセッションをＡＧＦが通知される実施ソリューションが更に提供される。詳細は次の通りである。前記ＰＤＵセッション確立要求メッセージは、セッション識別子を更に含み、該セッション識別子は、前記ＰＤＵセッションに関連した前記アクセスセッションの識別情報である。
【００１６】
セッション識別子は、ＰＤＵセッションが関連するアクセスセッションを識別するためにＡＧＦとＰＤＵとの間で同意された如何なる識別子であってもよい。ＰＤＵセッション確立要求は、ＰＤＵセッションを確立するよう要求するために使用されるので、セッション識別子は、アクセスセッションを識別することができ、あるいは、アクセスセッションにマッピングされ、あるいは、ユーザ装置にマッピングされる如何なる識別子であってもよい。
【００１７】
任意の実施では、当該方法は、前記ＡＧＦによって、前記ＳＭＦによって送信されたＰＤＵセッション情報を受信し、前記ＡＧＦによって、セッション識別子を前記ＰＤＵセッションに割り当て、前記ＡＧＦによって、前記セッション識別子を前記ＳＭＦへ送信して、該ＳＭＦが前記セッション識別子を前記ＰＤＵセッション確立成功メッセージに付加し、該ＰＤＵセッション確立成功メッセージを前記ユーザ装置へ送信するようにすること、又は
前記ＡＧＦによって、前記ＳＭＦによって送信された前記ＰＤＵセッション確立成功メッセージを受信して、前記ＡＧＦがセッション識別子を前記ＰＤＵセッションに割り当てるようにし、前記ＡＧＦによって、前記セッション識別子において前記ＰＤＵセッション確立成功メッセージをカプセル化し、前記セッション識別子を前記ユーザ装置へ送信すること
を更に含む。
【００１８】
任意の実施では、ネットワーク側デバイスが更に設けられる。例えば、ＡＧＦは、新たに生成されたＰＤＵセッションがどのアクセスセッションに関連するのかをユーザ装置に通知する。詳細は次の通りである。前記ＰＤＵセッション確立成功メッセージは、前記セッション識別子を含み、該セッション識別子は、前記ＰＤＵセッションに関連する前記アクセスセッションの識別情報である。代替的に、前記ＰＤＵセッション確立成功メッセージは、前記セッション識別子においてカプセル化され、該セッション識別子は、前記ＰＤＵセッションに関連する前記アクセスセッションの識別情報である。
【００１９】
セッション確立成功メッセージに含まれるセッション識別子は、アクセスセッションを記別することができ、あるいは、アクセスセッションにマッピングされ、あるいは、ユーザ装置にマッピングされる如何なる識別子であってもよい。
【００２０】
任意の実施では、セッション識別子のいくつかの任意の実施ソリューションが更に、次の通りに提供される。前記セッション識別子は、前記ＡＧＦのＭＡＣアドレス、前記ＡＧＦのインターネット・プロトコル（ＩＰ）アドレス、仮想ローカル・エリア・ネットワーク（ＶＬＡＮ）ラベル、ＧＲＥトンネル識別子、マルチプロトコル・ラベル・スイッチング（Multi-Protocol  Label  Switching，ＭＰＬＳ）ラベル、ＰＰＰｏＥセッション識別子、前記ユーザ装置のＭＡＣアドレス、及び前記ユーザ装置のインターネット・プロトコル（ＩＰ）アドレスのうちの少なくとも１つを含む。
【００２１】
任意の実施では、アクセスセッションがユーザ装置とＡＧＦとの間で確立される具体的な実施ソリューションが更に、次の通りに提供される。前記ユーザ装置によって前記ＡＧＦとともにアクセスセッションを確立することは、
前記ユーザ装置によって前記ＡＧＦへ前記セッション識別子を含むＰＰＰｏＥメッセージ又はアクセスセッションメッセージを送信することを含み、前記ＰＰＰｏＥメッセージは、ＰＰＰｏＥセッションを確立するために使用され、該ＰＰＰｏＥセッションは、前記セッション識別子に対応するＰＤＵセッションにバインドされ、前記アクセスセッションメッセージは、前記アクセスセッションを確立するよう要求するために使用され、該アクセスセッションは、前記セッション識別子に対応する前記ＰＤＵセッションにバインドされる。
【００２２】
この実施形態では、バインドすることは、セッション識別子に対応するＰＤＵセッションとアクセスセッションとの間の対応を取得又は記憶することと見なされ得る。対応は、テーブル又は他のデータ構造のようないくつかのデータ構造を使用することによって記憶されてよい。
【００２３】
ＰＰＰｏＥメッセージは、ＰＰＰｏＥセッションを確立するために使用されるメッセージであり、ＰＰＰｏＥ開始（PPPoE  Active  Discovery  Initiation，ＰＡＤＩ）メッセージ、ＰＰＰｏＥ発見（PPPoE  Active  Discovery  Offer，ＰＡＤＯ）メッセージ、ＰＰＰｏＥ要求（PPPoE  Active  Discovery  Request，ＰＡＤＲ）メッセージ、ＰＰＰｏＥ確認（PPPoE  Active  Discovery  Session-confirmation，ＰＡＤＳ）メッセージ、ＰＰＰｏＥ終了（PPPoE  Active  Discovery  Terminate，ＰＡＤＴ）メッセージ、リンク制御プロトコル（Link  Control  Protocol，ＬＣＰ）メッセージ、及びインターネット・プロトコル制御プロトコル（Internet  Protocol  Control  Protocol，ＩＰＣＰ）メッセージを含む。メッセージは、ユーザ・プレーンを使用することによって送信されても、あるいは、ＮＡＳ要求メッセージに含まれるＰＰＰｏＥメッセージを使用することによって送信されてもよい。
【００２４】
任意の実施では、ＰＤＵセッション及びアクセスセッションが確立された後にデータが送信されるソリューションが更に、次の通りに提供される。当該方法は、
前記ユーザ装置によって、前記ＰＤＵセッションのデータパケットを送信し、前記ＰＤＵセッションに対応するセッション識別子を使用することによって前記データパケットをカプセル化することを更に含む。
【００２５】
データパケットは、セッション識別子を使用することによってカプセル化されるので、ＡＧＦは、その後のデータパケット転送及び処理プロシージャを続けるために、そのデータパケットがどのＰＤＵセッションのデータパケットであるかを知ることができる。
【００２６】
任意の実施では、ＰＤＵセッションのデータパケットの具体的なカプセル化方法が更に提供される。詳細は次の通りである。当該方法は、
前記ユーザ装置によって、前記ＰＤＵセッションに対応するＰＰＰｏＥセッション識別子を決定し、該ＰＰＰｏＥセッション識別子において前記ＰＤＵセッションのデータパケットをカプセル化し、前記ＰＰＰｏＥセッション識別子を前記ＡＧＦへ送信すること、又は
前記ユーザ装置によって、前記ＰＤＵセッションに対応する前記ＡＧＦのＭＡＣアドレス若しくは前記ＰＤＵセッションに対応する前記ＡＧＦのインターネット・プロトコル（ＩＰ）アドレスを決定し、前記ＡＧＦの前記ＭＡＣアドレス若しくは前記ＡＧＦの前記インターネット・プロトコル（ＩＰ）アドレスにおいて前記ＰＤＵセッションのデータパケットをカプセル化し、前記ＡＧＦの前記ＭＡＣアドレス若しくは前記ＡＧＦの前記インターネット・プロトコル（ＩＰ）アドレスを前記ＡＧＦへ送信すること、又は
前記ユーザ装置によって、前記ＰＤＵセッションに対応する仮想ローカル・エリア・ネットワーク（ＶＬＡＮ）ラベル若しくはマルチプロトコル・ラベル・スイッチング（ＭＰＬＳ）ラベルを決定し、前記ＶＬＡＮラベル若しくは前記ＭＰＬＳラベルにおいて前記ＰＤＵセッションのデータパケットをカプセル化し、前記ＶＬＡＮラベル若しくは前記ＭＰＬＳラベルを前記ＡＧＦへ送信すること、又は
前記ユーザ装置によって、前記ＰＤＵセッションに対応するＧＲＥトンネル識別子を決定し、前記ＧＲＥトンネルにおいて前記ＰＤＵセッションのデータパケットをカプセル化し、前記ＧＲＥトンネルを前記ＡＧＦへ送信すること、又は
前記ユーザ装置によって、前記ＰＤＵセッションに対応する前記ユーザ装置のＭＡＣアドレスを決定し、前記ユーザ装置の前記ＭＡＣアドレスにおいて前記ＰＤＵセッションのデータパケットをカプセル化し、前記ユーザ装置の前記ＭＡＣアドレスを前記ＡＧＦへ送信すること
を更に含む。
【００２７】
任意の実施では、ＮＡＳメッセージ識別子の任意の実施ソリューションが更に提供される。詳細は次の通りである。前記ＮＡＳメッセージは、レイヤ２データパケットにおいてカプセル化され、前記ＮＡＳメッセージ識別子は、仮想ローカル・エリア・ネットワーク（ＶＬＡＮ）ラベル、前記ＡＧＦのＭＡＣアドレス、若しくはイーサネットタイプを含み、あるいは、
前記ＮＡＳメッセージは、レイヤ３データパケットにおいてカプセル化され、前記ＮＡＳメッセージ識別子は、ユーザ・データグラム・プロトコル（ＵＤＰ）ポート番号又は所定のあて先ＩＰアドレスを含み、あるいは、
前記ＰＰＰｏＥセッションが確立される場合に、前記ＮＡＳメッセージは、前記ＰＰＰｏＥセッションにおいてカプセル化され、前記ＮＡＳメッセージ識別子は、前記ＰＰＰｏＥセッションの識別子を含み、あるいは、
前記ＧＲＥトンネルが確立される場合に、前記ＮＡＳメッセージは、前記ＧＲＥトンネルにおいてカプセル化され、前記ＮＡＳメッセージ識別子は、前記ＧＲＥトンネルの識別子を含み、あるいは、
前記ＮＡＳメッセージは、拡張認証プロトコル（ＥＡＰ）メッセージにおいてカプセル化され、前記ＮＡＳメッセージ識別子は、前記ＥＡＰパラメータタイプを含み、あるいは、
前記ＮＡＳメッセージは、所定のプロトコルレイヤにおいてカプセル化され、前記ＮＡＳメッセージ識別子は、前記所定のプロトコルレイヤを含む。
【００２８】
第２の態様によれば、本発明の実施形態は、セッション管理方法であって、
アクセスゲートウェイ機能（ＡＧＦ）によって、ＰＤＵセッションを確立するよう要求するために使用されるＰＤＵセッション確立要求メッセージを含む非アクセス層（ＮＡＳ）メッセージをユーザ装置から受信することと、
前記ＡＧＦによって前記ＮＡＳメッセージをモビリティ管理機能（ＡＭＦ）へ送信し、そして、ＰＤＵセッション確立成功メッセージを受信した後に、前記ＡＧＦによって、前記ＰＤＵセッション確立成功メッセージを前記ユーザ装置へ送信することと、
前記ＡＧＦによって前記ユーザ装置とともにアクセスセッションを確立することと
を含み、
前記アクセスセッションは、前記ＰＤＵセッションに関連したアクセスセッションである、
方法を更に提供する。
【００２９】
ＡＧＦ側では、ユーザ装置によって確立されるＰＤＵセッション、及びＡＧＦとユーザ装置との間のアクセスセッションが知られる。このようにして、関連付け関係がアクセスセッションとＰＤＵセッションとの間で確立され得、それにより、ユーザ装置は、固定ネットワークを通じて５Ｇ  ＣＮにアクセスする。
【００３０】
任意の実施では、アクセスセッションのいくつかの可能な場合が更に提供される。詳細は次の通りである。前記アクセスセッションは、ポイント・ツー・ポイント・プロトコル・オーバー・イーサネット（ＰＰＰｏＥ）セッション、Ｌ２イーサネットセッション、Ｌ３インターネット・プロトコルセッション、又は汎用ルーティングカプセル化（ＧＲＥ）トンネルを含む。
【００３１】
任意の実施では、ＮＡＳのカプセル化方法が更に提供される。詳細は次の通りである。前記ＮＡＳメッセージは、ＮＡＳメッセージ識別子においてカプセル化され、該ＮＡＳメッセージ識別子は、前記ＮＡＳメッセージを識別するために使用される。
【００３２】
この実施形態では、ＮＡＳメッセージは、ＮＡＳメッセージ識別子においてカプセル化される。この場合に、ＮＡＳメッセージを受信した後、ＡＧＦは、ＮＡＳメッセージに基づいてＮＡＳメッセージを識別し得る。
【００３３】
任意の実施では、ＮＡＳメッセージが受信される任意の実施ソリューションが更に提供される。詳細は次の通りである。アクセスゲートウェイ機能（ＡＧＦ）によって、ユーザ装置によって送信された非アクセス層（ＮＡＳ）メッセージを受信することより前に、当該方法は、前記ユーザ装置と前記ＡＧＦとの間にＰＰＰｏＥセッションを確立することを更に含み、アクセスゲートウェイ機能（ＡＧＦ）によって、ユーザ装置によって送信された非アクセス層（ＮＡＳ）メッセージを受信することは、前記ＰＰＰｏＥセッションにおいてカプセル化された前記ＮＡＳメッセージを受信することを含み、前記ＰＰＰｏＥセッションの識別子は、前記ＮＡＳメッセージの識別子であり、あるいは、
アクセスゲートウェイ機能（ＡＧＦ）によって、ユーザ装置によって送信された非アクセス層（ＮＡＳ）メッセージを受信することは、ＰＰＰｏＥ発見プロセス、ネットワーク制御プロトコル（ＩＰＣＰ）プロセス、及びリンク制御プロトコル（ＬＣＰ）プロセスのうちのいずれか１つにおけるメッセージを使用することによって、前記ＡＧＦに対して前記ユーザ装置によって送信された前記ＮＡＳメッセージを受信することを含む。
【００３４】
上記の２つの任意の実施において、前者の実施では、ＰＰＰｏＥセッションが最初に、ＮＡＳメッセージを送信するために確立される。この場合に、ＰＰＰｏＥセッションは、ＮＡＳメッセージが送信されることをＡＧＦに通知するために使用され得る。従って、識別情報は、新たに加えられる必要がなくてよい。後者の実施では、ＮＡＳメッセージが送信されるいくつかの適用シナリオが提供される。
【００３５】
任意の実施では、ＰＤＵセッション確立要求メッセージが送信される具体的なソリューションは更に、次の通りに提供される。前記ＰＤＵセッション確立要求メッセージは、セッション識別子を更に含み、該セッション識別子は、前記ＰＤＵセッションに関連した前記アクセスセッションの識別情報である。
【００３６】
この実施形態で、ＰＤＵセッション確立要求メッセージは、セッション識別子を運ぶために使用される。このようにして、ＡＧＦは、セッション識別子に基づいて、どのアクセスセッションが、確立されるよう要求されるＰＤＵセッションに関連するかを決定し得る。
【００３７】
任意の実施では、アクセスセッションがユーザ装置とＡＧＦとの間で確立される具体的な実施ソリューションは更に、次の通りに提供される。前記ＡＧＦによって前記ユーザ装置とともにアクセスセッションを確立することは、
前記ＡＧＦによって、前記セッション識別子を含み、前記ユーザ装置によって送信されるＰＰＰｏＥメッセージ又はアクセスセッションメッセージを受信することを含み、
前記ＰＰＰｏＥメッセージは、ＰＰＰｏＥセッションを確立するために使用され、該ＰＰＰｏＥセッションは、前記セッション識別子に対応するＰＤＵセッションにバインドされ、前記アクセスセッションメッセージは、前記アクセスセッションを確立するために使用され、該アクセスセッションは、前記セッション識別子に対応する前記ＰＤＵセッションにバインドされる。
【００３８】
この実施形態で、バインドすることは、セッション識別子に対応するＰＤＵセッションとアクセスセッションとの間の対応を取得又は記憶することと見なされ得る。対応は、テーブル又は他のデータ構造のようないくつかのデータ構造を使用することによって記憶されてよい。
【００３９】
任意の実施では、セッション識別子のいくつかの可能な実施ソリューションが更に、次の通りに提供される。前記セッション識別子は、前記ＡＧＦのＭＡＣアドレス、前記ＡＧＦのインターネット・プロトコル（ＩＰ）アドレス、仮想ローカル・エリア・ネットワーク（ＶＬＡＮ）ラベル、ＧＲＥトンネル識別子、マルチプロトコル・ラベル・スイッチング（ＭＰＬＳ）ラベル、ＰＰＰｏＥセッション識別子、前記ユーザ装置のＭＡＣアドレス、及び前記ユーザ装置のインターネット・プロトコル（ＩＰ）アドレスのうちの少なくとも１つを含む。
【００４０】
当該方法は、前記ＡＧＦによって、前記ＰＰＰｏＥメッセージを使用することによって前記ユーザ装置に対して、前記ＳＭＦによって割り当てられる前記ユーザ装置の受信されたインターネット・プロトコル（ＩＰ）アドレスを送信することを更に含む。
【００４１】
任意の実施では、ＰＤＵセッション及びアクセスセッションが確立された後にデータが送信されるソリューションが更に提供される。詳細は次の通りである。当該方法は、
前記ユーザ装置によって送信される前記ＰＤＵセッションのデータパケットであり、セッション識別子を運ぶ前記データパケットを受信することと、
前記セッション識別子に対応するＰＤＵセッションへ前記データパケットを送信することと
を更に含む。
【００４２】
セッション識別子は、データパケットがマッピングされるＰＤＵセッションをＡＧＦに通知するために使用されるので、ＡＧＦは、セッション識別子に基づいてデータパケットを転送し得る。
【００４３】
任意の実施では、データパケットの具体的なカプセル化方法は更に、次の通りに提供される。前記アクセスセッションが前記ＰＤＵセッションにマッピングされた後に、当該方法は、
前記ユーザ装置によって送信された前記データパケットを受信することと、
ＰＰＰｏＥセッション識別子において前記データパケットをカプセル化し、前記ＰＰＰｏＥセッション識別子に基づいて、前記データパケットに対応する前記ＰＤＵセッションを決定すること、又は
前記ＡＧＦのＭＡＣアドレス若しくは前記ＡＧＦのインターネット・プロトコル（ＩＰ）アドレスにおいて前記データパケットをカプセル化し、前記ＡＧＦの前記ＭＡＣアドレス若しくは前記ＡＧＦの前記インターネット・プロトコル（ＩＰ）アドレスに基づいて、前記データパケットに対応する前記ＰＤＵセッションを決定すること、又は
仮想ローカル・エリア・ネットワーク（ＶＬＡＮ）ラベル若しくはマルチプロトコル・ラベル・スイッチング（ＭＰＬＳ）ラベルにおいて前記データパケットをカプセル化し、前記ＶＬＡＮラベル若しくは前記マルチプロトコル・ラベル・スイッチング（ＭＰＬＳ）ラベルに基づいて、前記データパケットに対応する前記ＰＤＵセッションを決定すること、又は
ＧＲＥトンネルにおいて前記データパケットをカプセル化し、前記ＧＲＥトンネルの識別子に基づいて、前記データパケットに対応する前記ＰＤＵセッションを決定すること、又は
前記ユーザ装置のＭＡＣアドレス若しくは前記ユーザ装置のインターネット・プロトコル（ＩＰ）アドレスにおいて前記データパケットをカプセル化し、前記ユーザ装置の前記ＭＡＣアドレス若しくは前記ユーザ装置の前記ＩＰアドレスに基づいて、前記データパケットに対応する前記ＰＤＵセッションを決定することと
を更に含む。
【００４４】
第３の態様によれば、本発明の実施形態は、セッション管理方法であって、
セッション管理機能（ＳＭＦ）によって、ＰＤＵセッションを確立するよう要求するために使用されるＰＤＵセッション確立要求メッセージを受信することと、
前記ＳＭＦによって、前記ＰＤＵセッションに対応するセッション識別子を取得し、該セッション識別子をアクセスゲートウェイ機能（ＡＧＦ）又はユーザ機器へ送信することと
を含み、
前記セッション識別子は、前記ＰＤＵセッションに関連したアクセスセッションの識別情報である、
方法を更に提供する。
【００４５】
この実施形態で、ＳＭＦは、ユーザ装置のためにＰＤＵセッションを確立し、セッション識別子を取得する。ＡＧＦ又はユーザ装置に通知した後、ＳＭＦは、ユーザ装置及びＡＧＦに、セッション識別子に基づいて、ＰＤＵセッションがマッピングされるアクセスセッションを知るよう指示し得る。
【００４６】
任意の実施では、セッション識別子がＡＧＦ又はユーザ装置へ送信される具体的な実施ソリューションは更に、次の通りに提供される。前記ＰＤＵセッションに対応するセッション識別子を取得し、該セッション識別子をＡＧＦ又はユーザ機器へ送信することは、
前記ＡＧＦによって割り当てられた前記セッション識別子を受信した後に、前記ＳＭＦによって、前記セッション識別子を含むＰＤＵセッション確立成功メッセージを前記ユーザ装置へ送信すること、又は
前記ユーザ装置によって割り当てられた前記セッション識別子を受信した後に、前記ＳＭＦによって、前記セッション識別子を含むＳＭ情報を前記ＡＧＦへ送信すること
を含む。
【００４７】
任意の実施では、セッション識別子の任意の実施ソリューションは更に、次の通りに提供される。前記セッション識別子は、前記ＡＧＦのＭＡＣアドレス、前記ＡＧＦのインターネット・プロトコル（ＩＰ）アドレス、仮想ローカル・エリア・ネットワーク（ＶＬＡＮ）ラベル、ＧＲＥトンネル識別子、マルチプロトコル・ラベル・スイッチング（ＭＰＬＳ）ラベル、ポイント・ツー・ポイント・プロトコル・オーバー・イーサネット（ＰＰＰｏＥ）セッション識別子、前記ユーザ装置のＭＡＣアドレス、及び前記ユーザ装置のインターネット・プロトコル（ＩＰ）アドレスのうちの少なくとも１つを含む。
【００４８】
任意の実施では、ＳＭＦがセッション識別子をＡＧＦに通知するためにＳＭ情報をＡＧＦへ送信する具体的な実施ソリューションは更に、次の通りに提供される。ＳＭ情報を前記ＡＧＦへ送信することは、
前記ＳＭＦによって、仮想ローカル・エリア・ネットワーク（ＶＬＡＮ）ラベル、ＧＲＥトンネル識別子、マルチプロトコル・ラベル・スイッチング（ＭＰＬＳ）ラベル、ＰＰＰｏＥセッション識別子、前記ユーザ装置のインターネット・プロトコル（ＩＰ）アドレス、又は前記ユーザ装置のＭＡＣアドレスのうちの少なくとも１つを含む前記ＳＭ情報を前記ＡＧＦへ送信することを含む。
【００４９】
任意の実施では、ＰＤＵセッション確立成功メッセージを使用することによってセッション識別子がユーザ装置に通知される具体的な実施ソリューションは更に、次の通りに提供される。当該方法は、前記ＳＭＦによって、ＰＤＵセッション確立成功メッセージを前記ユーザ装置へ送信することを更に含み、
前記ＰＤＵセッション確立成功メッセージは、前記ＡＧＦのＭＡＣアドレス、前記ＡＧＦのインターネット・プロトコル（ＩＰ）アドレス、仮想ローカル・エリア・ネットワーク（ＶＬＡＮ）ラベル、ＧＲＦトンネル識別子、マルチプロトコル・ラベル・スイッチング（ＭＰＬＳ）ラベル、及びＰＰＰｏＥセッション識別子のうちの少なくとも１つを含む。
【００５０】
第４の態様によれば、本発明の実施形態は、
ＰＤＵセッションを確立するよう要求するために使用されるＰＤＵセッション確立要求メッセージを含む非アクセス層（ＮＡＳ）メッセージをアクセスゲートウェイ機能（ＡＧＦ）へ送信するよう構成される送信ユニットと、
ネットワーク側デバイスによって返されたＰＤＵセッション確立成功メッセージを受信するよう構成される受信ユニットと、
前記ＡＧＦとともにアクセスセッションを確立するよう構成されるセッション確立ユニットと
を含み、
前記アクセスセッションは、前記ＰＤＵセッションに関連したアクセスセッションである、
ユーザ装置を更に提供する。
【００５１】
任意の実施では、前記アクセスセッションは、ポイント・ツー・ポイント・プロトコル・オーバー・イーサネット（ＰＰＰｏＥ）セッション、Ｌ２イーサネットセッション、Ｌ３インターネット・プロトコルセッション、又は汎用ルーティングカプセル化（ＧＲＥ）トンネルを含む。
【００５２】
任意の実施では、前記ＮＡＳメッセージは、ＮＡＳメッセージ識別子においてカプセル化され、該ＮＡＳメッセージ識別子は、前記ＮＡＳメッセージを識別するために使用される。
【００５３】
任意の実施では、前記セッション確立ユニットは、当該ユーザ装置が前記非アクセス層（ＮＡＳ）メッセージを前記ＡＧＦへ送信する前に、当該ユーザ装置と前記ＡＧＦとの間にＰＰＰｏＥセッションを確立するよう更に構成される。送信ユニットが非アクセス層（ＮＡＳ）メッセージをＡＧＦへ送信するよう構成されることは、前記ＰＰＰｏＥセッションにおいて前記ＮＡＳメッセージをカプセル化することを含み、前記ＰＰＰｏＥセッションの識別子は、前記ＮＡＳメッセージの識別子である
【００５４】
代替的に、送信ユニットが非アクセス層（ＮＡＳ）メッセージをＡＧＦへ送信するよう構成されることは、ＰＰＰｏＥ発見プロセス、ネットワーク制御プロトコル（ＩＰＣＰ）プロセス、及びリンク制御プロトコル（ＬＣＰ）プロセスのうちのいずれか１つにおけるメッセージを使用することによって、前記ＮＡＳメッセージを前記ＡＧＦへ送信することを含む。
【００５５】
任意の実施では、前記ＰＤＵセッション確立要求メッセージは、セッション識別子を更に含み、該セッション識別子は、前記ＰＤＵセッションに関連した前記アクセスセッションの識別情報である。
【００５６】
任意の実施では、前記受信ユニットは、前記ＳＭＦによって送信されるＰＤＵセッション情報を受信するよう更に構成される。
【００５７】
前記送信ユニットは、前記ＰＤＵセッションに割り当てられたセッション識別子を前記ＳＭＦへ送信して、該ＳＭＦが前記セッション識別子を前記ＰＤＵセッション確立成功メッセージに付加し、該ＰＤＵセッション確立成功メッセージを当該ユーザ装置へ送信するようにするよう更に構成される。
【００５８】
代替的に、前記受信ユニットは、前記ＳＭＦによって送信される前記ＰＤＵセッション確立成功メッセージを受信して、前記ＡＧＦがセッション識別子を前記ＰＤＵセッションに割り当てるようにするよう更に構成される。
【００５９】
前記送信ユニットは、前記セッション識別子において前記ＰＤＵセッション確立成功メッセージをカプセル化し、前記セッション識別子を当該ユーザ装置へ送信するよう更に構成される。
【００６０】
任意の実施では、前記ＰＤＵセッション確立成功メッセージは、前記セッション識別子を含み、該セッション識別子は、前記ＰＤＵセッションに関連する前記アクセスセッションの識別情報である。代替的に、前記ＰＤＵセッション確立成功メッセージは、前記セッション識別子においてカプセル化され、該セッション識別子は、前記ＰＤＵセッションに関連する前記アクセスセッションの識別情報である。
【００６１】
任意の実施では、前記セッション識別子は、前記ＡＧＦのＭＡＣアドレス、前記ＡＧＦのインターネット・プロトコル（ＩＰ）アドレス、仮想ローカル・エリア・ネットワーク（ＶＬＡＮ）ラベル、ＧＲＥトンネル識別子、マルチプロトコル・ラベル・スイッチング（ＭＰＬＳ）ラベル、ＰＰＰｏＥセッション識別子、当該ユーザ装置のＭＡＣアドレス、及び当該ユーザ装置のインターネット・プロトコル（ＩＰ）アドレスのうちの少なくとも１つを含む。
【００６２】
任意の実施では、セッション確立ユニットが前記ＡＧＦとともにアクセスセッションを確立するよう構成されることは、前記送信ユニットを使用することによって前記ＡＧＦへ前記セッション識別子を含むＰＰＰｏＥメッセージ又はアクセスセッションメッセージを送信することを含み、前記ＰＰＰｏＥメッセージは、ＰＰＰｏＥセッションを確立するために使用され、該ＰＰＰｏＥセッションは、前記セッション識別子に対応するＰＤＵセッションにバインドされ、前記アクセスセッションメッセージは、前記アクセスセッションを確立するよう要求するために使用され、該アクセスセッションは、前記セッション識別子に対応する前記ＰＤＵセッションにバインドされる。
【００６３】
任意の実施では、前記送信ユニットは、前記ＰＤＵセッションのデータパケットを送信し、前記ＰＤＵセッションに対応するセッション識別子を使用することによって前記データパケットをカプセル化するよう更に構成される。
【００６４】
任意の実施では、当該ユーザ装置は、
前記ＰＤＵセッションに対応するＰＰＰｏＥセッション識別子を決定し、該ＰＰＰｏＥセッション識別子において前記ＰＤＵセッションのデータパケットをカプセル化し、前記ＰＰＰｏＥセッション識別子を前記ＡＧＦへ送信するよう、又は
前記ＰＤＵセッションに対応する前記ＡＧＦのＭＡＣアドレス若しくは前記ＰＤＵセッションに対応する前記ＡＧＦのインターネット・プロトコル（ＩＰ）アドレスを決定し、前記ＡＧＦの前記ＭＡＣアドレス若しくは前記ＡＧＦの前記インターネット・プロトコル（ＩＰ）アドレスにおいて前記ＰＤＵセッションのデータパケットをカプセル化し、前記ＡＧＦの前記ＭＡＣアドレス若しくは前記ＡＧＦの前記インターネット・プロトコル（ＩＰ）アドレスを前記ＡＧＦへ送信するよう、又は
前記ＰＤＵセッションに対応するＧＲＥトンネルの識別子を決定し、前記ＧＲＥトンネルにおいて前記ＰＤＵセッションのデータパケットをカプセル化し、前記ＧＲＥトンネルを前記ＡＧＦへ送信するよう、又は
前記ＰＤＵセッションに対応する仮想ローカル・エリア・ネットワーク（ＶＬＡＮ）ラベル若しくはマルチプロトコル・ラベル・スイッチング（ＭＰＬＳ）ラベルを決定し、前記ＶＬＡＮラベル若しくは前記マルチプロトコル・ラベル・スイッチング（ＭＰＬＳ）ラベルにおいて前記ＰＤＵセッションのデータパケットをカプセル化し、前記ＶＬＡＮラベル若しくは前記マルチプロトコル・ラベル・スイッチング（ＭＰＬＳ）ラベルを前記ＡＧＦへ送信するよう、又は
前記ＰＤＵセッションに対応する当該ユーザ装置のＭＡＣアドレスを決定し、当該ユーザ装置の前記ＭＡＣアドレスにおいて前記ＰＤＵセッションのデータパケットをカプセル化し、当該ユーザ装置の前記ＭＡＣアドレスを前記ＡＧＦへ送信するよう
構成されるカプセル化ユニットを更に含む。
【００６５】
任意の実施では、前記ＮＡＳメッセージは、レイヤ２データパケットにおいてカプセル化され、前記ＮＡＳメッセージ識別子は、仮想ローカル・エリア・ネットワーク（ＶＬＡＮ）ラベル、前記ＡＧＦのＭＡＣアドレス、若しくはイーサネットタイプを含む。
【００６６】
代替的に、前記ＮＡＳメッセージは、レイヤ３データパケットにおいてカプセル化され、前記ＮＡＳメッセージ識別子は、ユーザ・データグラム・プロトコル（ＵＤＰ）ポート番号又は所定のあて先ＩＰアドレスを含む。
【００６７】
代替的に、前記ＰＰＰｏＥセッションが確立される場合に、前記ＮＡＳメッセージは、前記ＰＰＰｏＥセッションにおいてカプセル化され、前記ＮＡＳメッセージ識別子は、前記ＰＰＰｏＥセッションの識別子を含む。
【００６８】
代替的に、前記ＧＲＥトンネルが確立される場合に、前記ＮＡＳメッセージは、前記ＧＲＥトンネルにおいてカプセル化され、前記ＮＡＳメッセージ識別子は、前記ＧＲＥトンネルの識別子を含む。
【００６９】
代替的に、前記ＮＡＳメッセージは、拡張認証プロトコル（ＥＡＰ）メッセージにおいてカプセル化され、前記ＮＡＳメッセージ識別子は、前記ＥＡＰパラメータタイプを含む。
【００７０】
代替的に、前記ＮＡＳメッセージは、所定のプロトコルレイヤにおいてカプセル化され、前記ＮＡＳメッセージ識別子は、前記所定のプロトコルレイヤを含む。
【００７１】
第５の態様によれば、本発明の実施形態は、
ＰＤＵセッションを確立するよう要求するために使用されるＰＤＵセッション確立要求メッセージを含む、ユーザ装置によって送信される非アクセス層（ＮＡＳ）メッセージを受信するよう構成される受信ユニットと、
前記ＮＡＳメッセージをモビリティ管理機能（ＡＭＦ）へ送信するよう構成される送信ユニットであり、前記受信ユニットは、ＰＤＵセッション確立成功メッセージを受信するよう更に構成され、前記送信ユニットは、前記受信ユニットが前記ＰＤＵセッション確立成功メッセージを受信した後に、該ＰＤＵセッション確立成功メッセージを前記ユーザ装置へ送信するよう更に構成される、前記送信ユニットと、
前記ユーザ装置とともにアクセスセッションを確立するよう構成されるセッション確立ユニットと
を含み、
前記アクセスセッションは、前記ＰＤＵセッションに関連したアクセスセッションである、
アクセスゲートウェイ機能デバイスを更に提供する。
【００７２】
任意の実施では、前記アクセスセッションは、ポイント・ツー・ポイント・プロトコル・オーバー・イーサネット（ＰＰＰｏＥ）セッション、Ｌ２イーサネットセッション、Ｌ３インターネット・プロトコルセッション、又は汎用ルーティングカプセル化（ＧＲＥ）トンネルを含む。
【００７３】
任意の実施では、前記ＮＡＳメッセージは、ＮＡＳメッセージ識別子においてカプセル化され、該ＮＡＳメッセージ識別子は、前記ＮＡＳメッセージを識別するために使用される。
【００７４】
任意の実施では、前記セッション確立ユニットは、前記受信ユニットが前記ユーザ装置によって送信された前記非アクセス層（ＮＡＳ）メッセージを受信する前に、前記ユーザ装置と前記ＡＧＦとの間にＰＰＰｏＥセッションを確立するよう更に構成される。受信ユニットがユーザ装置によって送信される非アクセス層（ＮＡＳ）メッセージを受信するよう構成されることは、前記ＰＰＰｏＥセッションにおいてカプセル化された前記ＮＡＳメッセージを受信することを含み、前記ＰＰＰｏＥセッションの識別子は、前記ＮＡＳメッセージの識別子である。
【００７５】
代替的に、受信ユニットがユーザ装置によって送信される非アクセス層（ＮＡＳ）メッセージを受信するよう構成されることは、ＰＰＰｏＥ発見プロセス、ネットワーク制御プロトコル（ＩＰＣＰ）プロセス、及びリンク制御プロトコル（ＬＣＰ）プロセスのうちのいずれか１つにおけるメッセージを使用することによって、当該ＡＧＦに対して前記ユーザ装置によって送信された前記ＮＡＳメッセージを受信することを含む。
【００７６】
任意の実施では、前記ＰＤＵセッション確立要求メッセージは、セッション識別子を更に含み、該セッション識別子は、前記ＰＤＵセッションに関連した前記アクセスセッションの識別情報である。
【００７７】
任意の実施では、前記セッション確立ユニットが前記ユーザ装置とともにアクセスセッションを確立するよう構成されることは、
前記受信ユニットを使用することによって、前記セッション識別子を含み、前記ユーザ装置によって送信されるＰＰＰｏＥメッセージ又はアクセスセッションメッセージを受信することを含み、前記ＰＰＰｏＥメッセージは、ＰＰＰｏＥセッションを確立するために使用され、該ＰＰＰｏＥセッションは、前記セッション識別子に対応するＰＤＵセッションにバインドされ、前記アクセスセッションメッセージは、前記アクセスセッションを確立するために使用され、該アクセスセッションは、前記セッション識別子に対応する前記ＰＤＵセッションにバインドされる。
【００７８】
任意の実施では、前記セッション識別子は、前記ＡＧＦのＭＡＣアドレス、前記ＡＧＦのインターネット・プロトコル（ＩＰ）アドレス、仮想ローカル・エリア・ネットワーク（ＶＬＡＮ）ラベル、ＧＲＥトンネル識別子、マルチプロトコル・ラベル・スイッチング（ＭＰＬＳ）ラベル、ＰＰＰｏＥセッション識別子、前記ユーザ装置のＭＡＣアドレス、及び前記ユーザ装置のインターネット・プロトコル（ＩＰ）アドレスのうちの少なくとも１つを含む。
【００７９】
前記送信ユニットは、前記ユーザ装置に対して前記ＰＰＰｏＥメッセージを使用することによって、ＳＭＦによって割り当てられる前記ユーザ装置の受信されたインターネット・プロトコル（ＩＰ）アドレスを送信するよう更に構成される。
【００８０】
任意の実施では、前記受信ユニットは、前記ユーザ装置によって送信される前記ＰＤＵセッションのデータパケットであり、セッション識別子を運ぶ前記データパケットを受信するよう更に構成される。
【００８１】
前記送信ユニットは、前記セッション識別子に対応するＰＤＵセッションへ前記データパケットを送信するよう更に構成される。
【００８２】
任意の実施では、前記受信ユニットは、前記アクセスセッションが前記ＰＤＵセッションにマッピングされた後に、前記ユーザ装置によって送信された前記データパケットを受信するよう更に構成される。
【００８３】
前記データパケットがＰＰＰｏＥセッション識別子においてカプセル化される場合に、前記セッション確立ユニットは、前記ＰＰＰｏＥセッション識別子に基づいて、前記データパケットに対応する前記ＰＤＵセッションを決定するよう構成される。
【００８４】
代替的に、前記データパケットが当該ＡＧＦのＭＡＣアドレス若しくは当該ＡＧＦのインターネット・プロトコル（ＩＰ）アドレスにおいてカプセル化される場合に、前記セッション確立ユニットは、当該ＡＧＦの前記ＭＡＣアドレス若しくは当該ＡＧＦの前記インターネット・プロトコル（ＩＰ）アドレスに基づいて、前記データパケットに対応する前記ＰＤＵセッションを決定するよう構成される。
【００８５】
代替的に、前記データパケットが仮想ローカル・エリア・ネットワーク（ＶＬＡＮ）ラベル若しくはマルチプロトコル・ラベル・スイッチング（ＭＰＬＳ）ラベルにおいてカプセル化される場合に、前記セッション確立ユニットは、前記ＶＬＡＮラベル若しくは前記マルチプロトコル・ラベル・スイッチング（ＭＰＬＳ）ラベルに基づいて、前記データパケットに対応する前記ＰＤＵセッションを決定するよう構成される。
【００８６】
代替的に、前記データパケットは、ＧＲＥトンネルにおいてカプセル化され、前記セッション確立ユニットは、前記ＧＲＥトンネルの識別子に基づいて、前記データパケットに対応する前記ＰＤＵセッションを決定するよう構成される。
【００８７】
代替的に、前記データパケットが前記ユーザ装置のＭＡＣアドレス若しくは前記ユーザ装置のインターネット・プロトコル（ＩＰ）アドレスにおいてカプセル化される場合に、前記セッション確立ユニットは、前記ユーザ装置の前記ＭＡＣアドレス若しくは前記ユーザ装置の前記ＩＰアドレスに基づいて、前記データパケットに対応する前記ＰＤＵセッションを決定するよう構成される。
【００８８】
第６の態様によれば、本発明の実施形態は、
ＰＤＵセッションを確立するよう要求するために使用されるＰＤＵセッション確立要求メッセージを受信するよう構成される受信ユニットと、
前記ＰＤＵセッションに対応するセッション識別子を取得するよう構成される識別子取得ユニットであり、前記セッション識別子は、前記ＰＤＵセッションに関連したアクセスセッションの識別情報である、前記識別子取得ユニットと、
前記セッション識別子をアクセスゲートウェイ機能（ＡＧＦ）又はユーザ機器へ送信するよう構成される送信ユニットと
を含むセッション管理機能デバイスを更に提供する。
【００８９】
任意の実施では、前記ＰＤＵセッションに対応するセッション識別子を取得し、該セッション識別子をＡＧＦ又はユーザ機器へ送信することは、次を含む。
【００９０】
前記識別子取得ユニットは、前記ＡＧＦによって割り当てられた前記セッション識別子を受信するよう構成される。前記送信ユニットは、前記セッション識別子を含むＰＤＵセッション確立成功メッセージを前記ユーザ装置へ送信するよう構成される。
【００９１】
代替的に、前記識別子取得ユニットは、前記ユーザ装置によって割り当てられた前記セッション識別子を受信するよう構成される。前記送信ユニットは、前記セッション識別子を含むＳＭ情報を前記ＡＧＦへ送信するよう構成される。
【００９２】
任意の実施では、前記セッション識別子は、前記ＡＧＦのＭＡＣアドレス、前記ＡＧＦのインターネット・プロトコル（ＩＰ）アドレス、仮想ローカル・エリア・ネットワーク（ＶＬＡＮ）ラベル、ＧＲＥトンネル識別子、マルチプロトコル・ラベル・スイッチング（ＭＰＬＳ）ラベル、ポイント・ツー・ポイント・プロトコル・オーバー・イーサネット（ＰＰＰｏＥ）セッション識別子、前記ユーザ装置のＭＡＣアドレス、及び前記ユーザ装置のインターネット・プロトコル（ＩＰ）アドレスのうちの少なくとも１つを含む。
【００９３】
任意の実施では、前記送信ユニットがＳＭ情報を前記ＡＧＦへ送信するよう構成されることは、仮想ローカル・エリア・ネットワーク（ＶＬＡＮ）ラベル、ＧＲＥトンネル識別子、マルチプロトコル・ラベル・スイッチング（ＭＰＬＳ）ラベル、ＰＰＰｏＥセッション識別子、前記ユーザ装置のインターネット・プロトコル（ＩＰ）アドレス、又は前記ユーザ装置のＭＡＣアドレスのうちの少なくとも１つを含む前記ＳＭ情報を前記ＡＧＦへ送信することを含む。
【００９４】
任意の実施では、前記送信ユニットは、ＰＤＵセッション確立成功メッセージを前記ユーザ装置へ送信するよう更に構成され、前記ＰＤＵセッション確立成功メッセージは、前記ＡＧＦのＭＡＣアドレス、前記ＡＧＦのインターネット・プロトコル（ＩＰ）アドレス、仮想ローカル・エリア・ネットワーク（ＶＬＡＮ）ラベル、ＧＲＦトンネル識別子、マルチプロトコル・ラベル・スイッチング（ＭＰＬＳ）ラベル、及びＰＰＰｏＥセッション識別子のうちの少なくとも１つを含む。
【００９５】
第７の態様によれば、本発明の実施形態は、入出力デバイス、プロセッサ、及びメモリを含む電子デバイスを更に提供する。
【００９６】
メモリは、実行可能命令を記憶し、プロセッサは、実行可能命令を実行して、本発明の実施形態で提供される任意の方法プロシージャを実施する。
【００９７】
第８の態様によれば、本発明の実施形態は、コンピュータ記憶媒体を更に提供する。コンピュータ記憶媒体は実行可能命令を含み、実行可能命令が実行されるとき、本発明の実施形態で提供される任意の方法プロシージャが実施される。
【００９８】
第９の態様によれば、本発明の実施形態は、コンピュータプログラム製品を更に提供する。コンピュータプログラム製品は実行可能命令を含み、実行可能命令が実行されるとき、本発明の実施形態で提供される任意の方法プロシージャが実施される。
【００９９】
本発明の背景又は実施形態における技術的解決法をより明りょうに記載するために、以下は、本発明の背景又は実施形態に必要とされる添付の図面について説明する。
【図面の簡単な説明】
【０１００】
【図１】本発明の実施形態に従う５Ｇシステムの略アーキテクチャ図である。
【図２】本発明の実施形態に従う５Ｇコンバージド・コア・ネットワークのシステムの略アーキテクチャ図である。
【図３Ａ】本発明の実施形態に従う方法の略フローチャートである。
【図３Ｂ】本発明の実施形態に従う方法の略フローチャートである。
【図４】本発明の実施形態に従う方法の略フローチャートである。
【図５】本発明の実施形態に従うユーザ装置の略構造図である。
【図６】本発明の実施形態に従うアクセスゲートウェイ機能デバイスの略構造図である。
【図７】本発明の実施形態に従うセッション管理機能デバイスの略構造図である。
【図８】本発明の実施形態に従う電子デバイスの略構造図である。
【図９】本発明の実施形態に従うユーザ装置の略構造図である。
【発明を実施するための形態】
【０１０１】
本発明の実施形態は、本発明の実施形態における添付の図面を参照して以下で記載される。
【０１０２】
図１は、５Ｇ通信システムのシステム例を示す。図１において、５Ｇ通信システムはＵＥ、ラジオ・アクセス・ネットワーク（Radio  Access  Network，ＲＡＮ）又はアクセス・ネットワーク（Access  Network，ＡＮ）、ユーザ・プレーン機能（User  Plane  Function，ＵＰＦ）、データ・ネットワーク（Data  Network，ＤＮ）、ＡＭＦ、ＳＭＦ、ポリシー制御機能（Policy  Control  Function，ＰＣＦ）、アプリケーション機能（Application  Function，ＡＦ）、認証サーバ機能（Authentication  Server  Function，ＡＵＳＦ）、及び統合データ管理（Unified  Data  Management，ＵＤＭ）を含む。インターフェイスＮ１乃至Ｎ１５は、夫々、通信のために使用される。
【０１０３】
図２は、本発明の実施形態に従う５Ｇコンバージド・コア・ネットワークのシステムの概略図である。図１の５Ｇ通信システムの構造を参照すると、図２において、破線ボックス部分は、次世代制御プレーンネットワーク要素機能（Next  Generation  Control  Plane  function，ＮＧ  ＣＰ）を示す。固定（Fixed）ネットワークＡＮが新たにアクセス・ネットワーク側に加えられる。ＣＰＥの位置で、ＣＰＥは代替的にＵＥ、ＲＧ、ＦＮＲＧ、又はワイヤレス・フィデリティ（wifi）アクセス・ポイント（Access  Point，ＡＰ）であってもよい。ブロードバンド・ネットワーク・ゲートウェイ−ユーザ・プレーン機能（Broadband  Network  Gateway-User  Plane  function，ＢＮＧ−ＵＰ）は、インターフェイスＮ３を通じてＵＰＦと通信する。ＣＰＥ及びＲＡＮは、ＮＲ技術を使用することによって、又はインターフェイスＵｕを通じて、互いと通信し得る。図２は、ＰＰＰｏＥセッション及びパケット・データ・ユニット（ＰＤＵ）セッションを含む。図２は、ＣＰＥが登録要求をＡＭＦへ送信することを更に示す。図２において、固定ネットワークユーザプレーンは、ＡＧＦで終端され、５Ｇにおいて固定ネットワーク及びＣＮ−ＵＰＦから独立したままである。
【０１０４】
ＡＭＦデバイス、ＳＭＦデバイス、ＵＰＦデバイス、及びＰＣＦデバイスは、夫々、ＡＭＦ、ＳＭＦ、ＵＰＦ、及びＰＣＦと略称され得る。
【０１０５】
図３Ａ及び図３Ｂに示されるように、図２に示される５Ｇコンバージド・コア・ネットワークのシステムに基づいて、以下は、ユーザ装置が固定ネットワークを通じて５Ｇ  ＣＮにアクセスする略フローチャートを提供する。図３Ａ及び図３Ｂにおいて、ＡＧＦは、ＡＮにおける上位レイヤコンバージェンスポイントであり、固定ネットワーク内でアクセス・ネットワーク側に配置され、図２の固定ネットワークＡＮにマッピングされる。
【０１０６】
０１乃至０６は、ＰＰＰｏＥセッション確立プロシージャである。ＣＰＥとＡＧＦとの間のＰＰＰｏＥ接続は、ＰＰＰｏＥセッション確立プロシージャで確立される。認証プロセスは省略されてよい。ＰＰＰｏＥセッション確立プロシージャにおいて、ＡＧＦは、ＰＰＰｏＥセッションＩＤをＣＰＥに割り当て、ＰＰＰｏＥセッションＩＤをＣＰＥの非アクセス層（ＮＡＳ）セッション、すなわち、ＮＡＳメッセージを送信するよう捧げられるＰＰＰｏＥセッションとして保管する。
【０１０７】
具体的に、０１乃至０６は、夫々、次の通りである。
【０１０８】
０１．ＣＰＥは、ＰＡＤＩメッセージをＡＧＦへ送信する。
【０１０９】
０２．ＡＧＦは、ＰＰＰｏＥ提案（PPPoE  Active  Discovery  Offer，ＰＡＤＯ）メッセージをＣＰＥへ返す。
【０１１０】
０３．ＣＰＥは、ＰＰＰｏＥ要求（PPPoE  Active  Discovery  Request，ＰＡＤＲ）メッセージをＡＧＦへ送信する。
【０１１１】
０４．ＡＧＦは、ＰＰＰｏＥセッション確認（PPPoE  Active  Discovery  Session-confirmation，ＰＡＤＳ）メッセージをＣＰＥへ返し、ここで、ＰＡＤＳメッセージはＰＰＰｏＥセッションＩＤを運ぶ。
【０１１２】
０５．ＣＰＥは、パラメータ要求（Parameters  Request）をＡＧＦへ送信する。
【０１１３】
０６．ＡＧＦは、パラメータ応答（Parameters  Respond）をＣＰＥへ返す。
【０１１４】
より詳細なＰＰＰｏＥセッション確立プロシージャは、関連するプロトコルに応じて実行され得る。詳細は、本発明のこの実施形態では記載されない。
【０１１５】
具体的に、ＣＰＥがＰＰＰｏＥセッションを確立した後、具体的なプロシージャは次の通りである。
【０１１６】
３０１．ＣＰＥは、登録プロシージャ（Registration  procedure）を開始する。
【０１１７】
このステップで、ＣＰＥは、登録プロシージャを開始するために、ＮＡＳに対するＰＰＰｏＥセッションを使用することによって、登録要求（Registration  request）メッセージをＡＭＦへ送信する。すなわち、ＣＰＥは、登録要求メッセージをＡＭＦへ送信する。登録要求メッセージは、ＮＡＳメッセージを使用することによって、第１ＰＰＰｏＥセッションにおいてカプセル化される。
【０１１８】
ＮＡＳメッセージは、ＰＰＰｏＥセッションＩＤ、仮想ローカル・エリア・ネットワーク（Virtual  Local  Area  Network，ＶＬＡＮ）ＩＤ、又は特定のＩＰアドレスを含んでよく、それにより、ＡＧＦはＮＡＳメッセージを識別する。以下は、説明のために、ＮＡＳメッセージがＰＰＰｏＥセッションＩＤを含む例を使用する。
【０１１９】
ＡＧＦは、ＰＰＰｏＥセッションＩＤに基づいてＮＡＳメッセージを識別し、ＡＧＦは、ＮＡＳメッセージをＡＭＦへ送信する。次いで、ネットワーク側が、ＣＰＥの登録プロシージャを完了する。
【０１２０】
ＮＡＳメッセージは、多数の他の方法で送信され、他の任意の実施ソリューションは、概要において与えられている。適用例の一例として、この実施形態では、ＮＡＳメッセージに含まれ、ＮＡＳメッセージを識別するためにＡＧＦによって使用される様態が、本発明のこの実施形態に対する一意性制限として解釈されるべきでない。
【０１２１】
３０２．ＣＰＥは、サービス要件に基づいてＰＤＵセッション確立プロシージャをトリガする。
【０１２２】
ＣＰＥは、ＰＤＵセッション確立要求メッセージをＡＧＦへ送信する。ＰＤＵセッション確立要求メッセージは、ＰＤＵセッション識別子（PDU  session  ID）及びタイプ識別子のようなパラメータを含む。ＰＤＵセッション確立要求メッセージはＮＡＳメッセージであり、ＮＡＳに対するＰＰＰｏＥセッションを使用することによってＡＧＦによって送信される。
【０１２３】
ＣＰＥは、ＰＰＰｏＥセッションＩＤ、ＶＬＡＮ  ＩＤ、特別なＩＰアドレス、又は特別なＭＡＣアドレスをＮＡＳメッセージにおいてカプセル化してよく、それにより、ＡＧＦはＮＡＳメッセージを識別する。例えば、ＰＰＰｏＥセッションＩＤ又はＶＬＡＮ  ＩＤは、ＮＡＳメッセージのＬ２メッセージヘッダにおいてカプセル化される。ＡＧＦがＮＡＳメッセージを識別する他の方法において同じ効果が達成され得る場合には、これは、本発明のこの実施形態において一意に制限されない。
【０１２４】
３０３．ＡＧＦは、ＰＰＰｏＥセッションＩＤに基づいてＮＡＳメッセージを識別し、ＰＤＵセッション確立要求メッセージをＡＭＦに対してインターフェイスＮ２を通じて転送する。
【０１２５】
上記の記載に基づいて、このステップにおいて、ＮＡＳメッセージは、代替的に、ＶＬＡＮ  ＩＤに基づいて識別されてもよい。任意に、ＡＧＦは、Ｌ２メッセージヘッダにおいてＶＬＡＮ  ＩＤを取得及び保管する。
【０１２６】
３０４．ＡＭＦは、Ｎ１１インターフェイスメッセージを使用することによって、ＰＤＵセッション確立要求メッセージをＳＭＦへ転送する。
【０１２７】
３０５．ＳＭＦは、Ｎ４インターフェイスメッセージを使用することによって、ＰＤＵセッション確立要求メッセージをＵＰＦへ転送する。従って、ネットワーク側はＰＤＵセッションを確立する。
【０１２８】
この実施形態で、ＡＧＦは、２つの解決法（Ａ）及び（Ｂ）でＡＧＦの特別なＭＡＣアドレスをＣＰＥに割り当て、ＡＧＦのＭＡＣアドレスとＰＤＵセッションとの間の結合関係を確立する。
【０１２９】
解決法（Ａ）は、具体的に、次の通りである。
【０１３０】
３０６Ａ．ＳＭＦはＮ１１インターフェイス応答メッセージを送信し、ここで、Ｎ１１インターフェイス応答メッセージは、ＰＤＵセッション確立成功（PDU  session  establishment  accept）メッセージ及びＰＤＵセッション情報を含む。
【０１３１】
ＰＤＵセッション確立成功メッセージは、ＱｏＳポリシー、サービス連続性モード、などを含んでよい。ＰＤＵセッション情報は、ＰＤＵセッション識別子、ＱｏＳファイル、及びコアネットワークトンネル識別情報を含んでよい。
【０１３２】
更に、ＳＭＦは、タイプ識別子に基づいてＣＰＥのＩＰアドレスをＣＰＥに割り当て、ＡＭＦを使用することによってＣＰＥのＩＰアドレスをＡＧＦへ送信する。すなわち、ＳＭＦは、タイプ識別子に基づいてＣＰＥのＩＰアドレスをセッション管理（Session  Management，ＳＭ）情報に付加し、セッション管理情報をＡＧＦへ送信する。
【０１３３】
３０７Ａ．ＡＭＦは、インターフェイスＮ２を通じてＡＧＦに対して、ステップ３０６Ａで受信されるＰＤＵセッション確立成功メッセージ及びＰＤＵセッション情報を送信し、ＡＧＦは、ＰＤＵセッション確立成功メッセージをＣＰＥへ送信する。
【０１３４】
具体的に、ＡＧＦは、ＰＤＵセッション識別子を取得するようにＰＤＵセッション情報をパースする。ＡＧＦは、特別なＡＧＦ  ＭＡＣアドレスをＰＤＵセッションに割り当て、ＭＡＣアドレスをＡＧＦソースアドレスとして使用することによってＰＤＵセッション確立成功メッセージをカプセル化する。ＡＧＦ  ＭＡＣアドレスとＰＤＵセッションとの間に結合関係が確立されるので、ここでのＡＧＦ  ＭＡＣアドレスは特別であり、専用ＡＧＦ  ＭＡＣアドレスとも呼ばれ得る。
【０１３５】
ここで、ＣＰＥは、ＰＤＵセッション確立成功メッセージにおけるＬ２ソースＭＡＣアドレスから、ＰＤＵセッションに対応するＡＧＦ  ＭＡＣアドレスを取得し得る。ＣＰＥは、ＰＤＵセッション識別子と特別なＡＧＦ  ＭＡＣアドレスとの間の対応を保管し得る。
【０１３６】
更に、ＡＧＦは、ＰＤＵセッション識別子及びＣＰＥのＩＰアドレスを取得することができ、ＡＧＦは、ＰＤＵセッションＩＤとＣＰＥ  ＩＰアドレスとの間の結合関係を確立する。その後に、ＡＧＦは、ＣＰＥ  ＩＰアドレスに基づいて、ＣＰＥ  ＩＰアドレスとＰＤＵセッションとの間の対応を識別し得る。
【０１３７】
任意に、ＡＧＦは、代替的に、前に保管されたＶＬＡＮ  ＩＤを設定又は更新してもよい。具体的に、ＡＧＦは、ＶＬＡＮ  ＩＤをＬ２メッセージヘッダに付加し、Ｌ２メッセージヘッダをＦＡＮ又はＣＰＥへ送信する。ＦＡＮ又はＣＰＥは、ＡＧＦによって送信されるＰＤＵセッションとＶＬＡＮ  ＩＤとの間の対応を保管する。ＦＡＮが前にＶＬＡＮ  ＩＤを設定していないときには、ＡＧＦはＶＬＡＮ  ＩＤを設定することができ、ＶＬＡＮ  ＩＤが前から存在するときには、ＡＧＦはＶＬＡＮ  ＩＤを更新する。
【０１３８】
３０８Ａ．ＡＧＦは、ＰＤＵセッション情報に含まれるコア・ネットワーク側トンネル識別情報を更に保管し、ＡＧＦのトンネル識別子を割り当ててよい。すなわち、ＡＧＦトンネル識別子を割り当ててよい。次いで、ＡＧＦは、Ｎ２インターフェイスメッセージを使用することによって、ＡＧＦトンネル識別子をＡＭＦへ送信する。
【０１３９】
３０９Ａ．ＡＭＦは、ＡＧＦトンネル識別子をＳＭＦへ転送し、ＳＭＦは、ＡＧＦトンネル識別子をＵＰＦへ転送して、トンネル情報を更新する。従って、ＵＰＦとＡＧＦとの間のユーザプレーントンネル確立プロシージャが完了される。
【０１４０】
解決法（Ｂ）は、次の通りである。
【０１４１】
３０６Ｂ．ＳＭＦはＮ１１インターフェイス応答メッセージを送信し、ここで、Ｎ１１インターフェイス応答メッセージはＰＤＵセッション情報を含む。
【０１４２】
ＰＤＵセッション情報は、ＰＤＵセッション識別子、ＱｏＳファイル、コアネットワークトンネル識別情報、などを含んでよい。このステップにおいて、ＳＭＦは、ＩＰアドレスをＣＰＥへ更に割り当て、それから、ＩＰアドレスをＡＧＦへ送信してよい。ＳＭＦがＣＰＥ  ＩＰアドレスをＡＧＦへ送信する様態は、タイプ識別子の識別に従って取得されてよい。
【０１４３】
３０７Ｂ．ＡＭＦは、ＰＤＵセッション情報をＡＧＦへ送信する。ＡＧＦは、ＡＧＦトンネル識別子を割り当てる。その上、ＡＧＦは、ＰＤＵセッション情報に含まれるＰＤＵセッション識別子を取得し、ＡＧＦは、特別なＡＧＦ  ＭＡＣアドレスをＰＤＵセッションに割り当てる。
【０１４４】
３０８Ｂ．ＡＧＦは、割り当てられたＡＧＦトンネル識別子及び特別なＡＧＦ  ＭＡＣアドレスをＡＭＦへ送信し、ＡＭＦは、割り当てられたＡＧＦトンネル識別子及び特別なＡＧＦ  ＭＡＣアドレスをＳＭＦへ転送する。
【０１４５】
更に、このステップにおいて、ＡＧＦは、ＶＬＡＮ  ＩＤをＡＭＦへ更に送信してもよく、次いで、ＡＭＦは、ＶＬＡＮ  ＩＤをＳＭＦへ転送する。
【０１４６】
３０９Ｂ．ＳＭＦは、トンネル情報を更新するために、ＡＧＦトンネル識別子をＵＰＦへ送信する。
【０１４７】
３１０Ｂ．ＳＭＦは、ＰＤＵセッション確立成功メッセージを生成し、ＡＭＦ及びＡＧＦを使用することによってＣＰＥに対してＰＤＵセッション確立成功メッセージを送信する。ＰＤＵセッション確立成功メッセージは、ＡＧＦ  ＭＡＣアドレスを含み、更には、ＰＤＵセッション識別子を含んでもよい。
【０１４８】
ＣＰＥは、ＰＤＵセッション確立成功メッセージから、ＰＤＵセッションに対応するＡＧＦ  ＭＡＣアドレスを取得する。ＣＰＥは、ＰＤＵセッション識別子とＡＧＦ  ＭＡＣアドレスとの間の対応を保管する。この実施形態で、ＰＤＵセッションとアクセスセッションとの間の対応は、ＡＧＦ  ＭＡＣアドレス及びＰＤＵセッション識別子を使用することによって保管される。ＰＤＵセッション及びアクセスセッションは両方とも、複数のタイプの識別情報を使用することによって識別され得、例は、この実施形態及び概要の両方で与えられる。従って、ＰＤＵセッションとアクセスセッションとの間の対応は、多数の他の方法で保管される。詳細は、ここでは記載されない。
【０１４９】
更に、ＳＭＦは、ＶＬＡＮ  ＩＤとＰＤＵセッションＩＤとの間の対応をＮＡＳメッセージに更に付加し、ＮＡＳメッセージをＣＰＥへ送信してもよい。このようにして、ＣＰＥは、ＶＬＡＮ  ＩＤとＰＤＵセッションとの間の対応を保管し得る。
【０１５０】
３１１．ＣＰＥは、ＰＰＰｏＥセッション確立プロシージャを開始し、ＣＰＥは、ＰＤＵセッションに対応するＡＧＦのＭＡＣアドレス又はＰＤＵセッションに対応するＶＬＡＮ  ＩＤのうちの少なくとも１つを使用することによって、ＰＰＰｏＥメッセージをカプセル化する。
【０１５１】
ＡＧＦは、ＰＰＰｏＥセッション確立プロシージャを完了し、ＡＧＦは、ＰＰＰｏＥプロシージャにおいてＣＰＥに対して、ＳＭＦによって割り当てられた前に受信されたＣＰＥ  ＩＰアドレスを送信する。ＡＧＦは、ＡＧＦ  ＭＡＣアドレス、ＶＬＡＮ  ＩＤ、又はＣＰＥ  ＩＰアドレスに基づいて、ＰＰＰｏＥセッションに対応するＰＤＵセッションを識別する。従って、ＡＧＦは、ＰＤＵセッションへのＰＰＰｏＥセッションのデータパケットの転送を完了するように、ＡＧＦ  ＭＡＣアドレス、ＶＬＡＮ  ＩＤ、ＣＰＥ  ＩＰアドレス、又はＰＰＰｏＥセッションＩＤのうちの少なくとも１つに基づいて、対応するＰＤＵセッションに対してＣＰＥのデータパケットを索引付けし得る。この解決法は、複数のＰＰＰｏＥセッションが一意のＰＤＵセッションに対応するシナリオにも適用可能である。このシナリオでは、ＣＰＥは、複数のＰＰＰｏＥセッションとＰＤＵセッションとの間の対応を確立するために、ステップ３１１を繰り返す。
【０１５２】
図４に示されるように、図２に示される５Ｇコンバージド・コア・ネットワークのシステムに基づいて、以下は、ユーザ装置が固定ネットワークを通じて５Ｇ  ＣＮにアクセスする略フローチャートを提供する。図４において、ＡＧＦは、ＡＮにおける上位レイヤコンバージェンスポイントであり、固定ネットワーク内でアクセス・ネットワーク側に配置され、図２の固定ネットワークＡＮにマッピングされる。
【０１５３】
０．ＣＰＥは、ネットワーク側に登録され、登録プロセスは、関連するプロトコル仕様に応じて実行されてよい。詳細は、本発明のこの実施形態では記載されない。
【０１５４】
０１乃至０６において、ＣＰＥは、サービス要件に基づいてＰＰＰｏＥセッション確立プロシージャを開始する。ＰＰＰｏＥセッション確立プロシージャにおいて、ＡＧＦは、全０ＩＰアドレス（０．０．０．０）をＣＰＥに割り当てる。その上、ＡＧＦは、特別なサーバＩＰをＮＡＳカプセル化あて先ＩＰアドレスとして更に設定してよい。例えば、ＡＧＦは、ＡＭＦ  ＩＰアドレスをＮＡＳあて先ＩＰアドレスとして使用し、ＮＡＳあて先ＩＰアドレスをＰＰＰｏＥプロシージャにおいてＣＰＥへ送信する。ＣＰＥとＡＧＦとの間のＰＰＰｏＥ接続は、ＰＰＰｏＥセッション確立プロシージャで確立される。認証プロセスは、省略されてよい。
【０１５５】
具体的に、０１乃至０６は、夫々、次の通りである。
【０１５６】
０１．ＣＰＥは、ＰＡＤＩメッセージをＡＧＦへ送信する。
【０１５７】
０２．ＡＧＦは、ＰＡＤＯメッセージをＣＰＥへ返す。
【０１５８】
０３．ＣＰＥは、ＰＡＤＲメッセージをＡＧＦへ送信する。
【０１５９】
０４．ＡＧＦは、ＰＡＤＳメッセージをＣＰＥへ返す。
【０１６０】
０５．ＣＰＥは、パラメータ要求（Parameters  Request）をＡＧＦへ送信する。
【０１６１】
０６．ＡＧＦは、パラメータ応答（Parameters  Respond）をＣＰＥへ返し、ここで、パラメータ応答は、ＡＭＦ  ＩＰアドレスを運ぶ。
【０１６２】
この実施形態で、ＮＡＳメッセージは、特別なＩＰアドレス、例えば、ＡＭＦ  ＩＰアドレス又は非全０の所定のＩＰアドレスを使用することによって、識別され得、それにより、ＡＧＦはＮＡＳメッセージを識別する。ＡＧＦは、ＡＧＦに対してＣＰＥによって送信されるデータパケット及びＮＡＳメッセージの間を区別する必要がある。データパケットはＵＰＦへ送信され、ＮＡＳメッセージはＡＭＦへ送信される。上記の実施形態は、ＡＧＦがＮＡＳメッセージを識別可能であるように、ＮＡＳメッセージがＰＰＰｏＥセッション識別子などを使用することによって識別される様態も更に提供する。詳細は、ここで再びは記載されない。
【０１６３】
より詳細なＰＰＰｏＥセッション確立プロシージャは、関連するプロトコル仕様に応じて実行されてよい。詳細は、本発明のこの実施形態では記載されない。ＰＰＰｏＥセッションは、０１乃至０６が実行された後に確立される。
【０１６４】
４０１．ＣＰＥは、ＰＰＰｏＥセッションを使用することによってＰＤＵセッション確立要求メッセージを送信し、そして、ＰＰＰｏＥセッションＩＤ又はＡＭＦ  ＩＰアドレスをＰＤＵセッション確立要求メッセージに付加し、ＰＤＵセッション確立要求メッセージをＡＧＦへ送信してよい。
【０１６５】
ＣＰＥは、ＮＡＳメッセージを使用することによって、ＰＤＵセッション確立要求メッセージをＡＧＦへ送信する。具体的に言えば、ＣＰＥは、ＮＡＳ  ＩＰアドレスを使用することによってＰＤＵセッション確立要求メッセージをカプセル化し、ＰＤＵセッション確立要求メッセージをＡＧＦへ送信し得る。
【０１６６】
このステップにおいて、ＰＤＵセッション確立要求メッセージは、ＮＡＳメッセージを識別するためにＡＧＦによって使用される識別情報、例えば、ＰＰＰｏＥセッション識別子、ＰＤＵセッション識別子、及び上記の例のＡＭＦ  ＩＰアドレスのような特別なあて先ＩＰアドレス、を含んでよい。
【０１６７】
４０２．ＡＧＦは、ＮＡＳメッセージを識別し、識別されたＮＡＳメッセージをＡＭＦに対してインターフェイスＮ２を通じて送信する。
【０１６８】
ＮＡＳメッセージは、ここでは具体的に、ＰＤＵセッション確立要求メッセージを含む。
【０１６９】
４０３．ＡＭＦは、ＰＤＵセッションを確立するために、ＰＤＵセッション確立要求メッセージをＳＭＦに対してインターフェイスＮ１１を通じて送信する。
【０１７０】
ＰＤＵセッションを確立するプロセスは、関連するプロトコル仕様に応じて実行されてよい。詳細は、この実施形態では記載されない。
【０１７１】
この実施形態で、ＳＭＦはＰＤＵセッション確立要求を受信した後、ＳＭＦは、ＣＰＥ  ＩＰアドレスをＣＰＥに割り当て、ＳＭＦは、ＣＰＥ識別子及び、ＰＰＰｏＥセッションＩＤとＰＤＵセッションＩＤとの間の対応を保管し得る。
【０１７２】
４０４．ＳＭＦは、ＳＭ情報をＡＭＦに対してインターフェイスＮ１１を通じて送信する。Ｎ１１インターフェイスメッセージは、ＳＭ情報及びＰＤＵセッション確立成功メッセージを含んでよい。
【０１７３】
ＳＭ情報は、ＰＤＵセッションＩＤ、ＰＰＰｏＥセッションＩＤ、ＱｏＳファイル、などを含んでよい。ＰＤＵセッション確立成功メッセージは、ＣＰＥ  ＩＰアドレスを含んでよい。
【０１７４】
４０５．ＡＭＦは、受信されたＮ１１インターフェイスメッセージをＡＧＦに対してインターフェイスＮ２を通じて送信する。
【０１７５】
ＡＧＦは、ＳＭ情報をパースして、ＰＰＰｏＥセッションＩＤとＰＤＵセッションＩＤとの間の対応を取得及び保管する。
【０１７６】
４０６．ＡＧＦは、ＰＤＵセッション確立成功メッセージをＣＰＥへ転送する。
【０１７７】
ＰＤＵセッション確立成功メッセージはＣＰＥ  ＩＰアドレスを含むので、ＣＰＥは、ＣＰＥに対してＳＭＦによって割り当てられたＩＰアドレスを取得するように、ＰＤＵセッション確立成功メッセージをパースしてＣＰＥ  ＩＰアドレスを取得し得る。ＣＰＥは、前に使用された全０ＩＰアドレスを、パースを通じて取得されたＩＰアドレスにより置き換える。
【０１７８】
４０７．トンネル情報を更新する。トンネル情報を更新する具体的なプロシージャについては、上記の実施形態を参照されたい。詳細は、ここで再びは記載されない。
【０１７９】
４０８．ＣＰＥは、ＰＤＵセッションのデータパケットを送信する。ＣＰＥは、ＰＤＵセッションに対応するＰＰＰｏＥセッションにおいてＰＤＵセッションのデータパケットをカプセル化する。すなわち、ＰＰＰｏＥセッションＩＤにおいてデータパケットをカプセル化する。ＡＧＦは、ＰＤＵセッションのデータパケットを受信した後に、ＰＰＰｏＥセッションＩＤを取得する。ＡＧＦは、ＰＰＰｏＥセッションＩＤとＰＤＵセッションＩＤとの間の保管されている対応に基づいて、ＰＤＵセッションＩＤを検索する。ＡＧＦは、ＰＤＵセッションＩＤによって識別されるＰＤＵセッションへデータパケットを送信する。
【０１８０】
本発明の実施形態は、ユーザ装置を更に提供する。図５に示されるように、ユーザ装置は、
ＰＤＵセッションを確立するよう要求するために使用されるＰＤＵセッション確立要求メッセージを含む非アクセス層（ＮＡＳ）メッセージをアクセスゲートウェイ機能（ＡＧＦ）へ送信するよう構成される送信ユニット５０１と、
ネットワーク側デバイスによって返されたＰＤＵセッション確立成功メッセージを受信するよう構成される受信ユニット５０２と、
ＡＧＦとともにアクセスセッションを確立するよう構成されるセッション確立ユニット５０３と
を含み、
アクセスセッションは、ＰＤＵセッションに関連したアクセスセッションである。
【０１８１】
任意に、アクセスセッションは、ポイント・ツー・ポイント・プロトコル・オーバー・イーサネット（ＰＰＰｏＥ）セッション、Ｌ２イーサネットセッション、Ｌ３インターネット・プロトコルセッション、又は汎用ルーティングカプセル化（ＧＲＥ）トンネルを含む。
【０１８２】
任意に、ＮＡＳメッセージは、ＮＡＳメッセージ識別子においてカプセル化され、ＮＡＳメッセージ識別子は、ＮＡＳメッセージを識別するために使用される。
【０１８３】
任意に、セッション確立ユニット５０３は、ユーザ装置が非アクセス層（ＮＡＳ）メッセージをＡＧＦへ送信する前に、ユーザ装置とＡＧＦとの間にＰＰＰｏＥセッションを確立するよう更に構成される。送信ユニット５０１が非アクセス層（ＮＡＳ）メッセージをＡＧＦへ送信するよう構成されることは、ＰＰＰｏＥセッションにおいてＮＡＳメッセージをカプセル化することを含み、ＰＰＰｏＥセッション識別子は、ＮＡＳメッセージ識別子である。
【０１８４】
代替的に、送信ユニット５０１が非アクセス層（ＮＡＳ）メッセージをＡＧＦへ送信するよう構成されることは、ＰＰＰｏＥ発見プロセス、ネットワーク制御プロトコル（ＩＰＣＰ）プロセス、及びリンク制御プロトコル（ＬＣＰ）プロセスのうちのいずれか１つにおけるメッセージを使用することによって、ＮＡＳメッセージをＡＧＦへ送信することを含む。
【０１８５】
任意に、ＰＤＵセッション確立要求メッセージは、セッション識別子を更に含み、セッション識別子は、ＰＤＵセッションに関連したアクセスセッションの識別情報である。
【０１８６】
任意に、ＰＤＵセッション確立成功メッセージは、セッション識別子を含み、セッション識別子は、ＰＤＵセッションに関連するアクセスセッションの識別情報である。代替的に、ＰＤＵセッション確立成功メッセージは、セッション識別子においてカプセル化され、セッション識別子は、ＰＤＵセッションに関連するアクセスセッションの識別情報である。
【０１８７】
任意に、セッション識別子は、ＡＧＦのＭＡＣアドレス、ＡＧＦのインターネット・プロトコル（ＩＰ）アドレス、仮想ローカル・エリア・ネットワーク（ＶＬＡＮ）ラベル、ＧＲＥトンネル識別子、マルチプロトコル・ラベル・スイッチング（ＭＰＬＳ）ラベル、ＰＰＰｏＥセッション識別子、ユーザ装置のＭＡＣアドレス、及びユーザ装置のインターネット・プロトコル（ＩＰ）アドレスのうちの少なくとも１つを含む。
【０１８８】
任意に、セッション確立ユニット５０３がＡＧＦとともにアクセスセッションを確立するよう構成されることは、送信ユニット５０１を使用することによってＡＧＦへセッション識別子を含むＰＰＰｏＥメッセージ又はアクセスセッションメッセージを送信することを含み、ＰＰＰｏＥメッセージは、ＰＰＰｏＥセッションを確立するために使用され、ＰＰＰｏＥセッションは、セッション識別子に対応するＰＤＵセッションにバインドされ、アクセスセッションメッセージは、アクセスセッションを確立するよう要求するために使用され、アクセスセッションは、セッション識別子に対応するＰＤＵセッションにバインドされる。
【０１８９】
送信ユニット５０１は、ＰＤＵセッションのデータパケットを送信し、ＰＤＵセッションに対応するセッション識別子を使用することによってデータパケットをカプセル化するよう更に構成される。
【０１９０】
ユーザ装置は、
ＰＤＵセッションに対応するＰＰＰｏＥセッション識別子を決定し、ＰＰＰｏＥセッション識別子においてＰＤＵセッションのデータパケットをカプセル化し、ＰＰＰｏＥセッション識別子をＡＧＦへ送信するよう、又は
ＰＤＵセッションに対応するＡＧＦのＭＡＣアドレス若しくはＰＤＵセッションに対応するＡＧＦのインターネット・プロトコル（ＩＰ）アドレスを決定し、ＡＧＦのＭＡＣアドレス若しくはＡＧＦのインターネット・プロトコル（ＩＰ）アドレスにおいてＰＤＵセッションのデータパケットをカプセル化し、ＡＧＦのＭＡＣアドレス若しくはＡＧＦのインターネット・プロトコル（ＩＰ）アドレスをＡＧＦへ送信するよう、又は
ＰＤＵセッションに対応するＧＲＥトンネル識別子を決定し、ＧＲＥトンネルにおいてＰＤＵセッションのデータパケットをカプセル化し、ＧＲＥトンネルをＡＧＦへ送信するよう、又は
ＰＤＵセッションに対応する仮想ローカル・エリア・ネットワーク（ＶＬＡＮ）ラベル若しくはマルチプロトコル・ラベル・スイッチング（ＭＰＬＳ）ラベルを決定し、ＶＬＡＮラベル若しくはマルチプロトコル・ラベル・スイッチング（ＭＰＬＳ）ラベルにおいてＰＤＵセッションのデータパケットをカプセル化し、ＶＬＡＮラベル若しくはマルチプロトコル・ラベル・スイッチング（ＭＰＬＳ）ラベルをＡＧＦへ送信するよう、又は
ＰＤＵセッションに対応するユーザ装置のＭＡＣアドレスを決定し、ユーザ装置のＭＡＣアドレスにおいてＰＤＵセッションのデータパケットをカプセル化し、ユーザ装置のＭＡＣアドレスをＡＧＦへ送信するよう
構成されるカプセル化ユニット５０４を更に含む。
【０１９１】
任意に、ＮＡＳメッセージは、レイヤ２データパケットにおいてカプセル化され、ＮＡＳメッセージ識別子は、仮想ローカル・エリア・ネットワーク（ＶＬＡＮ）ラベル、ＡＧＦのＭＡＣアドレス、若しくはイーサネットタイプを含む。
【０１９２】
代替的に、ＮＡＳメッセージは、レイヤ３データパケットにおいてカプセル化され、ＮＡＳメッセージ識別子は、ユーザ・データグラム・プロトコル（ＵＤＰ）ポート番号又は所定のあて先ＩＰアドレスを含む。
【０１９３】
代替的に、ＰＰＰｏＥセッションが確立される場合に、ＮＡＳメッセージは、ＰＰＰｏＥセッションにおいてカプセル化され、ＮＡＳメッセージ識別子は、ＰＰＰｏＥセッション識別子を含む。
【０１９４】
代替的に、ＧＲＥトンネルが確立される場合に、ＮＡＳメッセージは、ＧＲＥトンネルにおいてカプセル化され、ＮＡＳメッセージ識別子は、ＧＲＥトンネル識別子を含む。
【０１９５】
代替的に、ＮＡＳメッセージは、拡張認証プロトコル（ＥＡＰ）メッセージにおいてカプセル化され、ＮＡＳメッセージ識別子は、ＥＡＰパラメータタイプを含む。
【０１９６】
代替的に、ＮＡＳメッセージは、所定のプロトコルレイヤにおいてカプセル化され、ＮＡＳメッセージ識別子は、所定のプロトコルレイヤを含む。
【０１９７】
本発明の実施形態は、アクセスゲートウェイ機能デバイスを更に提供する。図６に示されるように、アクセスゲートウェイ機能デバイスは、
ＰＤＵセッションを確立するよう要求するために使用されるＰＤＵセッション確立要求メッセージを含む、ユーザ装置によって送信される非アクセス層（ＮＡＳ）メッセージを受信するよう構成される受信ユニット６０１と、
ＮＡＳメッセージをモビリティ管理機能（ＡＭＦ）へ送信するよう構成される送信ユニット６０２であり、受信ユニット６０１は、ＰＤＵセッション確立成功メッセージを受信するよう更に構成され、送信ユニット６０２は、受信ユニット６０１がＰＤＵセッション確立成功メッセージを受信した後に、ＰＤＵセッション確立成功メッセージをユーザ装置へ送信するよう更に構成される、送信ユニット６０２と、
ユーザ装置とともにアクセスセッションを確立するよう構成されるセッション確立ユニット６０３と
を含み、
アクセスセッションは、ＰＤＵセッションに関連したアクセスセッションである。
【０１９８】
任意に、アクセスセッションは、ポイント・ツー・ポイント・プロトコル・オーバー・イーサネット（ＰＰＰｏＥ）セッション、Ｌ２イーサネットセッション、Ｌ３インターネット・プロトコルセッション、又は汎用ルーティングカプセル化（ＧＲＥ）トンネルを含む。
【０１９９】
任意に、ＮＡＳメッセージは、ＮＡＳメッセージ識別子においてカプセル化され、ＮＡＳメッセージ識別子は、ＮＡＳメッセージを識別するために使用される。
【０２００】
セッション確立ユニット６０３は、受信ユニット６０１がユーザ装置によって送信された非アクセス層（ＮＡＳ）メッセージを受信する前に、ユーザ装置とＡＧＦとの間にＰＰＰｏＥセッションを確立するよう更に構成される。受信ユニット６０１がユーザ装置によって送信される非アクセス層（ＮＡＳ）メッセージを受信するよう構成されることは、ＰＰＰｏＥセッションにおいてカプセル化されたＮＡＳメッセージを受信することを含み、ＰＰＰｏＥセッションの識別子は、ＮＡＳメッセージの識別子である。
【０２０１】
代替的に、受信ユニット６０１がユーザ装置によって送信される非アクセス層（ＮＡＳ）メッセージを受信するよう構成されることは、ＰＰＰｏＥ発見プロセス、ネットワーク制御プロトコル（ＩＰＣＰ）プロセス、及びリンク制御プロトコル（ＬＣＰ）プロセスのうちのいずれか１つにおけるメッセージを使用することによって、ＡＧＦに対してユーザ装置によって送信されたＮＡＳメッセージを受信することを含む。
【０２０２】
任意に、ＰＤＵセッション確立要求メッセージは、セッション識別子を更に含み、セッション識別子は、ＰＤＵセッションに関連したアクセスセッションの識別情報である。
【０２０３】
受信ユニット６０１は、ＳＭＦによって送信されたＰＤＵセッション情報を受信するよう更に構成される。
【０２０４】
送信ユニット６０２は、ＰＤＵセッションに割り当てられたセッション識別子をＳＭＦへ送信して、ＳＭＦがセッション識別子をＰＤＵセッション確立成功メッセージに付加し、ＰＤＵセッション確立成功メッセージをユーザ装置へ送信するようにするよう更に構成される。
【０２０５】
代替的に、受信ユニット６０１は、ＳＭＦによって送信されたＰＤＵセッション確立成功メッセージを受信して、ＡＧＦがセッション識別子をＰＤＵセッションに割り当てるようにするよう更に構成される。
【０２０６】
送信ユニット６０２は、セッション識別子においてＰＤＵセッション確立成功メッセージをカプセル化し、セッション識別子をユーザ装置へ送信するよう更に構成される。
【０２０７】
任意に、セッション確立ユニット６０３がユーザ装置とともにアクセスセッションを確立するよう構成されることは、
受信ユニット６０１を使用することによって、セッション識別子を含み、ユーザ装置によって送信されるＰＰＰｏＥメッセージ又はアクセスセッションメッセージを受信することを含み、ＰＰＰｏＥメッセージは、ＰＰＰｏＥセッションを確立するために使用され、ＰＰＰｏＥセッションは、セッション識別子に対応するＰＤＵセッションにバインドされ、アクセスセッションメッセージは、アクセスセッションを確立するために使用され、アクセスセッションは、セッション識別子に対応するＰＤＵセッションにバインドされる。
【０２０８】
任意に、セッション識別子は、ＡＧＦのＭＡＣアドレス、ＡＧＦのインターネット・プロトコル（ＩＰ）アドレス、仮想ローカル・エリア・ネットワーク（ＶＬＡＮ）ラベル、ＧＲＥトンネル識別子、マルチプロトコル・ラベル・スイッチング（ＭＰＬＳ）ラベル、ＰＰＰｏＥセッション識別子、ユーザ装置のＭＡＣアドレス、及びユーザ装置のインターネット・プロトコル（ＩＰ）アドレスのうちの少なくとも１つを含む。
【０２０９】
送信ユニット６０２は、ユーザ装置に対してＰＰＰｏＥメッセージを使用することによって、ＳＭＦによって割り当てられるユーザ装置の受信されたインターネット・プロトコル（ＩＰ）アドレスを送信するよう更に構成される。
【０２１０】
受信ユニット６０１は、ユーザ装置によって送信されるＰＤＵセッションのデータパケットを受信するよう更に構成され、ここで、データパケットはセッション識別子を運ぶ。
【０２１１】
送信ユニット６０２は、セッション識別子に対応するＰＤＵセッションへデータパケットを送信するよう更に構成される。
【０２１２】
受信ユニット６０１は、アクセスセッションがＰＤＵセッションにマッピングされた後に、ユーザ装置によって送信されたデータパケットを受信するよう更に構成される。
【０２１３】
データパケットがＰＰＰｏＥセッション識別子においてカプセル化される場合に、セッション確立ユニット６０３は、ＰＰＰｏＥセッション識別子に基づいて、データパケットに対応するＰＤＵセッションを決定するよう構成される。
【０２１４】
代替的に、データパケットがＡＧＦのＭＡＣアドレス若しくはＡＧＦのインターネット・プロトコル（ＩＰ）アドレスにおいてカプセル化される場合に、セッション確立ユニット６０３は、ＡＧＦのＭＡＣアドレス若しくはＡＧＦのインターネット・プロトコル（ＩＰ）アドレスに基づいて、データパケットに対応するＰＤＵセッションを決定するよう構成される。
【０２１５】
代替的に、データパケットが仮想ローカル・エリア・ネットワーク（ＶＬＡＮ）ラベル若しくはマルチプロトコル・ラベル・スイッチング（ＭＰＬＳ）ラベルにおいてカプセル化される場合に、セッション確立ユニット６０３は、ＶＬＡＮラベル若しくはマルチプロトコル・ラベル・スイッチング（ＭＰＬＳ）ラベルに基づいて、データパケットに対応するＰＤＵセッションを決定するよう構成される。
【０２１６】
代替的に、データパケットがＧＲＥトンネルにおいてカプセル化される場合に、セッション確立ユニット６０３は、ＧＲＥトンネル識別子に基づいて、データパケットに対応するＰＤＵセッションを決定するよう構成される。
【０２１７】
代替的に、データパケットがユーザ装置のＭＡＣアドレス若しくはユーザ装置のインターネット・プロトコル（ＩＰ）アドレスにおいてカプセル化される場合に、セッション確立ユニット６０３は、ユーザ装置のＭＡＣアドレス若しくはユーザ装置のＩＰアドレスに基づいて、データパケットに対応するＰＤＵセッションを決定するよう構成される。
【０２１８】
本発明の実施形態は、セッション管理機能デバイスを更に提供する。図７に示されるように、セッション管理機能デバイスは、
ＰＤＵセッションを確立するよう要求するために使用されるＰＤＵセッション確立要求メッセージを受信するよう構成される受信ユニット７０１と、
ＰＤＵセッションに対応するセッション識別子を取得するよう構成される識別子取得ユニット７０２であり、セッション識別子は、ＰＤＵセッションに関連したアクセスセッションの識別情報である、識別子取得ユニット７０２と、
セッション識別子をアクセスゲートウェイ機能（ＡＧＦ）又はユーザ機器へ送信するよう構成される送信ユニット７０３と
を含む。
【０２１９】
任意に、ＰＤＵセッションに対応するセッション識別子を取得し、セッション識別子をＡＧＦ又はユーザ機器へ送信することは、次を含む。
【０２２０】
識別子取得ユニット７０２は、ＡＧＦによって割り当てられたセッション識別子を受信するよう構成される。送信ユニット７０３は、セッション識別子を含むＰＤＵセッション確立成功メッセージをユーザ装置へ送信するよう構成される。
【０２２１】
代替的に、識別子取得ユニット７０２は、ユーザ装置によって割り当てられたセッション識別子を受信するよう構成される。送信ユニット７０３は、セッション識別子を含むＳＭ情報をＡＧＦへ送信するよう構成される。
【０２２２】
任意に、セッション識別子は、ＡＧＦのＭＡＣアドレス、ＡＧＦのインターネット・プロトコル（ＩＰ）アドレス、仮想ローカル・エリア・ネットワーク（ＶＬＡＮ）ラベル、ＧＲＥトンネル識別子、マルチプロトコル・ラベル・スイッチング（ＭＰＬＳ）ラベル、ポイント・ツー・ポイント・プロトコル・オーバー・イーサネット（ＰＰＰｏＥ）セッション識別子、ユーザ装置のＭＡＣアドレス、及びユーザ装置のインターネット・プロトコル（ＩＰ）アドレスのうちの少なくとも１つを含む。
【０２２３】
任意に、送信ユニット７０３がＳＭ情報をＡＧＦへ送信するよう構成されることは、仮想ローカル・エリア・ネットワーク（ＶＬＡＮ）ラベル、ＧＲＥトンネル識別子、マルチプロトコル・ラベル・スイッチング（ＭＰＬＳ）ラベル、ＰＰＰｏＥセッション識別子、ユーザ装置のインターネット・プロトコル（ＩＰ）アドレス、又はユーザ装置のＭＡＣアドレスのうちの少なくとも１つを含むＳＭ情報をＡＧＦへ送信することを含む。
【０２２４】
送信ユニット７０３は、ＰＤＵセッション確立成功メッセージをユーザ装置へ送信するよう更に構成され、ＰＤＵセッション確立成功メッセージは、ＡＧＦのＭＡＣアドレス、ＡＧＦのインターネット・プロトコル（ＩＰ）アドレス、仮想ローカル・エリア・ネットワーク（ＶＬＡＮ）ラベル、ＧＲＦトンネル識別子、マルチプロトコル・ラベル・スイッチング（ＭＰＬＳ）ラベル、及びＰＰＰｏＥセッション識別子のうちの少なくとも１つを含む。
【０２２５】
図８は、本発明の実施形態に従う電子デバイス８０を示す。電子デバイス８０は、プロセッサ８０１、メモリ８０２、及びトランシーバ８０３を含む。プロセッサ８０１、メモリ８０２、及びトランシーバ８０３は、バスを使用することによって互いに接続され得る。
【０２２６】
メモリ８０２は、ランダム・アクセス・メモリ（Random  Access  Memory，ＲＡＭ）、リード・オンリー・メモリ（Read-Only  Memory，ＲＯＭ）、消去可能なプログラム可能リード・オンリー・メモリ（Erasable  Programmable  Read  Only  Memory，ＥＰＲＯＭ）、又はコンパクト・ディスク・リード・オンリー・メモリ（Compact  Disc  Read-Only  Memory，ＣＤ−ＲＯＭ）を含むが限られない。メモリ８０２は、関連する命令及びデータを記憶するよう構成される。トランシーバ８０３は、データを受信及び送信するよう構成される。従って、この実施形態で、トランシーバ８０３は、上記の実施形態における送信ユニット及び受信ユニットにマッピングされてよく、他のユニットの機能は、プロセッサ８０１の機能にマッピングされてよい。
【０２２７】
プロセッサ８０１は、１以上の中央演算処理装置（Central  Processing  Unit，ＣＰＵ）を含んでよい。プロセッサ８０１が１つのＣＰＵを含むとき、ＣＰＵはシングルコアＣＰＵ又はマルチコアＣＰＵであってよい。
【０２２８】
電子デバイス８０におけるプロセッサ８０１は、メモリ８０２に記憶されているプログラムコードを読み出して、上記の方法の実施形態又は概要における方法のステップを実行するよう構成される。詳細は、ここで再びは記載されない。
【０２２９】
電子デバイスは、本発明のこの実施形態におけるユーザ装置、ＡＧＦ、又はＡＭＦのようなエンティティデバイスであってよい。これは、電子デバイスによって実行される具体的な内容に依存する。
【０２３０】
例において、図９は、ユーザ装置のハードウェア構造の一例を示す。記載の簡単のために、図９は、本発明のこの実施形態に関連する部分しか示さない。開示されない具体的な技術詳細については、本発明のこの実施形態における方法部分を参照されたい。ユーザ装置は、携帯電話機、タブレットコンピュータ、ＰＤＡ（Personal  Digital  Assistant，パーソナル・デジタル・アシスタント）、ＰＯＳ（Point  of  Sales，ポイント・オブ・セールス）、車載コンピュータ、などを含む如何なるユーザ装置であってもよい。例えば、ユーザ装置は携帯電話機である。
【０２３１】
図９は、本発明のこの実施形態で提供されるユーザ装置に関連した携帯電話機の部分構造のブロック図である。図９を参照すると、携帯電話機は、無線周波数（Radio  Frequency，ＲＦ）回路９１０、メモリ９２０、入力ユニット９３０、表示ユニット９４０、センサ９５０、オーディオ回路９６０、ワイヤレス・フィデリティ（Wireless  Fidelity，ＷｉＦｉ）モジュール９７０、プロセッサ９８０、及び電源９９０のような構成要素を含む。当業者は、図９に示される携帯電話機の構造が携帯電話機に対する限定を構成しないことを理解し得る。携帯電話機は、図示されているよりも多い又は少ない構成要素を含んでも、いくつかの構成要素を結合しても、あるいは、異なる構成要素配置を有してもよい。
【０２３２】
以下は、携帯電話機の各構成部品について、図９を参照して詳細に記載する。
【０２３３】
ＲＦ回路９１０は、情報受信及び送信プロセス又はコールプロセスにおいて信号を受信及び送信するよう構成されてよい。特に、ＲＦ回路９１０は、基地局からダウンリンク情報を受信し、次いで、ダウンリンク情報を処理のためにプロセッサ９８０へ送信する。その上、ＲＦ回路９１０は、関連するアップリンクデータを基地局へ送信する。通常、ＲＦ回路９１０は、アンテナ、少なくとも１つの増幅器、トランシーバ、カプラ、低雑音増幅器（Low  Noise  Amplifier，ＬＮＡ）、デュプレクサ、などを含むが限られない。その上、ＲＦ回路９１０は、無線通信を通じてネットワーク及び他のデバイスと更に通信してもよい。グローバル・システム・フォー・モバイル・コミュニケーションズ（Global  System  for  Mobil  communications，ＧＳＭ）、汎用パケット無線サービス（General  Packet  Radio  Service，ＧＰＲＳ）、符号分割多重アクセス（Code  Division  Multiple  Access，ＣＤＭＡ）システム、広帯域符号分割多重アクセス（Wideband  Code  Division  Multiple  Access，ＷＣＤＭＡ）システム、ロング・ターム・エボリューション（Long  Term  Evolution）システム、電子メール、ショート・メッセージ・サービス（Short  messaging  Service，ＳＭＳ）、などを含むがこれらに限られない如何なる通信標準又はプロトコルも、無線通信のために使用されてよい。
【０２３４】
メモリ９２０は、ソフトウェアプログラム及びモジュールを記憶するよう構成されてよい。プロセッサ９８０は、メモリ９２０に記憶されるソフトウェアプログラム及びモジュールを実行することによって、携帯電話機の様々な機能アプリケーション及びデータ処理を実行する。メモリ９２０は、プログラム記憶領域及びデータ記憶領域を主として含み得る。プログラム記憶領域は、オペレーティング・システム、少なくとも１つの機能（例えば、音響再生機能及び画像再生機能）によって必要とされるアプリケーション機能、などを記憶し得る。データ記憶領域は、携帯電話機の仕様に基づき生成されるデータ（例えば、オーディオデータ及び連絡帳）、などを記憶し得る。その上、メモリ９２０は、高速ランダム・アクセス・メモリを含んでよく、更には、不揮発性メモリ、例えば、少なくとも１つの磁気ディスク記憶デバイス、フラッシュメモリデバイス、又は他の揮発性ソリッドステート記憶デバイスを含んでもよい。
【０２３５】
入力ユニット９３０は、入力された数又は文字情報を受け取り、携帯電話機のユーザ設定及び機能制御に関連したキー信号入力を生成するよう構成されてよい。具体的に、入力ユニット９３０は、タッチパネル９３１及び他の入力デバイス９３２を含んでよい。タッチパネル９３１は、タッチスクリーンとも呼ばれ、タッチパネル９３１で又はその近くでユーザによって行われたタッチ操作（例えば、指又はスタイラスのような何らかの適切な物又はアクセサリを使用することによって、タッチパネル９３１で又はその近くでユーザによって行われる操作）を収集し、前もってセットされたプログラムに基づいて、対応する接続装置を駆動し得る。任意に、タッチパネル９３１は２つの部分、すなわち、タッチ検出装置及びタッチコントローラを含んでよい。タッチ検出装置は、ユーザのタッチ方向を検出し、タッチ操作によってもたらされる信号を検出し、信号をタッチコントローラへ送信する。タッチコントローラは、タッチ検出装置からタッチ情報を受信し、タッチ情報をタッチ座標に変換し、次いで、タッチ座標をプロセッサ９８０へ送信し、そして、プロセッサ９８０によって送信されるコマンドを受信及び実行することができる。その上、タッチパネル９３１は、抵抗型、容量型、赤外線型、及び表面弾性波型などの複数のタイプで実装されてよい。タッチパネル９３１に加えて、入力ユニット９３０は、他の入力デバイス９３２を含んでよい。具体的に、他の入力デバイス９３２は、物理キーボード、ファンクションキー（例えば、音量制御キー又はオンオフキー）、トラックボール、マウス、及びジョイスティックを含んでよいが限られない。
【０２３６】
表示ユニット９４０は、ユーザによって入力された情報、又はユーザに提供される情報、及び携帯電話機の様々なメニューを表示するよう構成されてよい。表示ユニット９４０は表示パネル９４１を含んでよい。任意に、表示パネル９４１は、液晶ディスプレイ(Liquid  Crystal  Display，ＬＣＤ)、有機発光ダイオード（Organic  Light-Emitting  Diode，ＯＬＥＤ）、などの形で構成されてよい。更に、タッチパネル９３１が表示パネル９４１を覆ってもよい。タッチパネル９３１で又はその近くでタッチ操作を検出するとき、タッチパネル９３１は、タッチイベントのタイプを決定するためにプロセッサ９８０に対してタッチ操作を送信し、次いで、プロセッサ９８０は、タッチイベントのタイプに基づいて、対応する視覚出力を表示パネル９４１で提供する。図９において、タッチパネル９３１及び表示パネル９４１は、携帯電話機の入力機能及び出力機能を実装するために２つの独立した構成要素として使用される。しかし、いくつかの実施形態で、タッチパネル９３１及び表示パネル９４１は、携帯電話機の入力機能及び出力機能を実装するよう一体化されてもよい。
【０２３７】
携帯電話機は、少なくとも１つのセンサ９５０、例えば、光センサ、動きセンサ、及び他のセンサを更に含んでもよい。具体的に、光センサは、周囲光センサ及び近接センサを含んでよい。周囲光センサは、周囲光の明るさに基づいて、表示パネル９４１の輝度を調整してよい。近接センサは、携帯電話機が耳に近づくときに、表示パネル９４１及び／又はバックライトをオフしてよい。動きセンサの１タイプとして、加速度計センサは、全ての方向（通常は、３軸）における加速度の値を検出することができ、加速度計センサが静止しているときには重力の値及び方向を検出することができ、携帯電話機の姿勢を特定する用途（例えば、横向きと縦向きの画面切り替え、関連するゲーム、若しくは磁力計姿勢較正）、振動識別に関連した機能（例えば、ペドメーター若しくはストライク）、などにおいて使用されてよい。ジャイロスコープ、気圧計、湿度計、温度計、及び赤外線センサなどの他のセンサが、携帯電話機において更に構成されてもよい。詳細は、ここでは記載されない。
【０２３８】
オーディオ回路９６０、スピーカ９６１、及びマイクロホン９６２は、ユーザと携帯電話機との間のオーディオインターフェイスを提供し得る。オーディオ回路９６０は、受け取られたオーディオデータを電気信号に変換し、電気信号をスピーカ９６１へ送り、スピーカ９６１は、電気信号を出力のために音響信号に変換する。その上、マイクロホン９６２は、収集された音響信号を電気信号に変換する。オーディオ回路９６０は、電気信号を受信し、電気信号をオーディオデータに変換し、次いで、オーディオデータを処理のためにプロセッサ９８０へ出力する。プロセッサ９８０は、オーディオデータを、例えば、ＲＦ回路９１０を使用することによって他の携帯電話機へ送信し、あるいは、オーディオデータを更なる処理のためにメモリ９２０へ出力する。
【０２３９】
ＷｉＦｉは、短距離無線伝送技術に属する。携帯電話機は、ＷｉＦｉモジュール９７０を使用することによって、ユーザが電子メールを受信及び送信すること、ウェブページを閲覧すること、ストリーミングメディアにアクセスすること、などを助けることができる。ＷｉＦｉモジュール９７０は、無線ブロードバンドインターネットアクセスをユーザに提供する。図９はＷｉＦｉモジュール９７０を示すが、ＷｉＦｉモジュール９７０は携帯電話機の必須の構成要素ではなく、本発明の本質を変えずに要件に基づいて完全に省略されてもよいことが理解され得る。
【０２４０】
プロセッサ９８０は、携帯電話機の制御センターであり、様々なインターフェイス及びラインを使用することによって携帯電話機の全体の各部を接続し、メモリ９２０に記憶されているソフトウェアプログラム及び／又はモジュールを起動又は実行することと、メモリ９２０に記憶されているデータを呼び出すこととによって、携帯電話機の様々な機能及びデータ処理を実行して、携帯電話機に対する全体的なモニタリングを実行する。任意に、プロセッサ９８０は、１以上の処理ユニットを含んでよい。アプリケーションプロセッサ及びモデムプロセッサがプロセッサ９８０に組み込まれてよい。アプリケーションプロセッサは、オペレーティング・システム、ユーザインターフェイス、アプリケーションプログラム、などを主に処理する。モデムプロセッサは、無線通信を主に処理する。モデムプロセッサは、代替的に、プロセッサ９８０に組み込まれなくてもよいことが理解され得る。
【０２４１】
携帯電話機は、構成要素へ電力を供給する電源９９０（例えば、バッテリ）を更に含む。電源は、電力管理システムを使用することによって充電、放電、及び電力消費の管理といった機能を実装するように、電力管理システムを使用することによってプロセッサ９８０へ論理的に接続されてよい。
【０２４２】
図示されていないが、携帯電話機は、カメラ、ブルートゥースモジュール、などを更に含んでもよい。詳細は、ここでは記載されない。
【０２４３】
本発明のこの実施形態で、ユーザ装置に含まれるプロセッサ９８０は、上記の実施形態におけるプロセッサ８０１に対応する機能を有し、ＲＦ回路９１０及びＷｉＦｉモジュール９７０は、ユーザ装置の送信ユニット及び受信ユニットの機能にマッピングされ得る。実行される機能の詳細な説明については、ユーザ装置の方法実施形態及び装置実施形態を参照されたい。詳細は、ここで再びは記載されない。
【０２４４】
本発明の実施形態は、コンピュータプログラム製品を更に提供する。コンピュータプログラム製品は実行可能命令を含み、実行可能命令が実行されるとき、本発明の実施形態で提供される任意の方法プロシージャが実施される。
【０２４５】
本発明の実施形態は、コンピュータ記憶媒体を更に提供する。コンピュータ記憶媒体は実行可能命令を含み、実行可能命令が実行されるとき、本発明の実施形態で提供される任意の方法プロシージャが実施される。当業者は、実施形態における方法のプロシージャのうちの全て又は一部が、関連するハードウェアに命令するコンピュータプログラムによって実施されてよいことを理解し得る。プログラムは、コンピュータ可読記憶媒体に記憶されてよい。プログラムが実行されるとき、方法実施形態におけるプロシージャが含まれてよい。上記の記憶媒体は、プログラムコードを記憶することができる任意の媒体、例えば、ＲＯＭ、ランダム・アクセス・メモリ（ＲＡＭ）、磁気スティック、又は光ディスクを含む。
【０２４６】
本願は、“SESSION  MANAGEMENT  METHOD  AND  APPRATUS”と題されて２０１７年６月２０日付けで中国国家知識産権局に出願された中国特許出願第２０１７１０４７１４８２．２号の優先権を主張するものであり、この中国特許出願は、その全文を参照により本願に援用される。
【図１】
0006908781.tif 000002
【図２】
0006908781.tif 000003
【図３Ａ】
0006908781.tif 000004
【図３Ｂ】
0006908781.tif 000005
【図４】
0006908781.tif 000006
【図５】
0006908781.tif 000007
【図６】
0006908781.tif 000008
【図７】
0006908781.tif 000009
【図８】
0006908781.tif 000010
【図９】
0006908781.tif 000011